(57)【要約】  物理（ＰＨＹ）層、メディアアクセス制御（ＭＡＣ）層、および高位層を含む処理層の階層で通信データを処理する無線送受信ユニット（ＷＴＲＵ）および方法が提供される。ＭＡＣ層トランスポートフォーマット選択装置は、高位層から受信したデータ特性およびＰＨＹ層から受信した物理リソース情報に基づいて、並列データストリームへの高位層伝送データの割り当てを定義する。トランスポートフォーマット選択装置はまた、各データストリームのトランスポートフォーマットパラメータを生成する。マルチプレクサコンポーネントは、データストリーム割り当ておよびトランスポートフォーマット選択装置によって生成されたそれぞれのトランスポートフォーマットパラメータに従って、伝送データをトランスポートブロックの並列データストリームに多重化し、それぞれの物理リソースパーティションを通じて伝送するために選択的に多重化された伝送データをＰＨＹ層に出力する。好ましくは、トランスポートフォーマット選択装置はまた、変調および符号化速度（ＭＣＲ）、伝送時間間隔（ＴＴＩ）あたりのサブフレーム数、ＴＴＩの継続時間、伝送電力、およびハイブリッド自動再送要求（ＨＡＲＱ）パラメータなどの、物理伝送属性も生成する。
2009525696.tif 000002
【特許請求の範囲】
【請求項１】
物理（ＰＨＹ）層、メディアアクセス制御（ＭＡＣ）層、および高位層を含む処理層の階層で構成される無線送受信ユニット（ＷＴＲＵ）のための通信データを処理する方法であって、
高位層からの伝送のデータおよび対応する伝送データ特性と、
前記ＰＨＹ層からの物理リソース情報と
を前記ＭＡＣ層により受信することと、
前記高位層からの前記受信データ特性および前記ＰＨＹ層からの前記物理リソース情報に基づいて、並列データストリームへの前記伝送データの割り当てを定義することと、
前記高位層からの前記受信データ特性および前記ＰＨＹ層からの前記物理リソース情報に基づいて、各データストリームのトランスポートフォーマットパラメータを生成することと、
前記データストリーム割り当ておよび前記それぞれのトランスポートフォーマットパラメータに従って、前記伝送データをトランスポートブロックの前記並列データストリームに多重化して、それぞれの物理リソースパーティションを通じて伝送するために前記並列データストリームの前記トランスポートブロックを介して前記伝送データを選択的に前記ＰＨＹ層に供給することと
を備えることを特徴とする方法。
【請求項２】
伝送データは、事前定義された時間フレームフォーマット内の伝送時間間隔（ＴＴＩ）で伝送され、前記方法は、各伝送時間間隔（ＴＴＩ）に先立って伝送データに対して実行されることを特徴とする請求項１に記載の方法。
【請求項３】
伝送データは、事前定義された時間フレームフォーマット内の伝送時間間隔（ＴＴＩ）で伝送され、前記伝送データを前記並列データストリームに多重化することは、共通の伝送時間間隔（ＴＴＩ）境界で開始するそれぞれのデータストリームの前記多重化されたデータを伝送するためのものであることを特徴とする前記請求項のいずれかに記載の方法。
【請求項４】
前記伝送データ特性は、ＱｏＳ要件を含み、並列データストリームへの割り当てを定義することおよび各データストリームのトランスポートフォーマットパラメータを生成することは、前記ＱｏＳ要件に基づくことを特徴とする前記請求項のいずれかに記載の方法。
【請求項５】
トランスポートフォーマットパラメータを生成することは、共通のＱｏＳ要件を持つ伝送データを含む２つ以上のデータストリームによって達成される予想ＱｏＳを正規化することを特徴とする請求項４に記載の方法。
【請求項６】
トランスポートフォーマットパラメータを生成することは、異なるＱｏＳ要件を持つ伝送データを含む２つ以上のデータストリームによって達成される予想ＱｏＳを区別することを特徴とする請求項４に記載の方法。
【請求項７】
前記伝送データは、複数の論理チャネルを含み、並列データストリームへの割り当てを定義することは、各論理チャネルのデータを前記並列データストリームの１つに選択的に配分することを特徴とする前記請求項のいずれかに記載の方法。
【請求項８】
前記伝送データは、単一の論理チャネルを含み、並列データストリームへの割り当てを定義することは、前記単一の論理チャネルのデータを前記並列データストリームの間で選択的に配分することを特徴とする請求項１から６のいずれかに記載の方法。
【請求項９】
前記伝送データ特性は、複数の各論理チャネルのＱｏＳ要件を含み、前記物理リソース情報は、前記物理層からのチャネル品質インジケータ（ＣＱＩ）を含み、並列データストリームへの割り当てを定義することおよび各データストリームのトランスポートフォーマットパラメータを生成することは、前記ＱｏＳ要件およびＣＱＩに基づくことを特徴とする前記請求項のいずれかに記載の方法。
【請求項１０】
並列データストリームへの割り当てを定義することは、ロングタームエボリューション（ＬＴＥ）システムの時間および周波数領域において複数のサブチャネルセットで前記伝送データを送信するために行われることを特徴とする前記請求項のいずれかに記載の方法。
【請求項１１】
並列データストリームへの割り当てを定義することは、高速パケットアクセスエボリューション（ＨＳＰＡ＋）システムの符号領域において複数のサブチャネルセットで伝送データを送信するために行われることを特徴とする請求項１から９のいずれかに記載の方法。
【請求項１２】
並列データストリームへの割り当てを定義することは、様々な多入力多出力（ＭＩＭＯ）伝送ストリームの複数のサブチャネルセットで前記伝送データを送信するために行われることを特徴とする前記請求項のいずれかに記載の方法。
【請求項１３】
並列データストリームへの割り当てを定義することは、関連するチャネル品質特性を持つ複数のサブチャネルセットで前記伝送データを送信するために行われ、前記ＰＨＹ層から物理リソース情報を受信することは、１つまたは複数のチャネル品質インジケータ（ＣＱＩ）によって供給されるチャネル品質特性を含むことを特徴とする前記請求項のいずれかに記載の方法。
【請求項１４】
前記高位層からの前記受信データ特性および／または前記ＰＨＹ層からの前記物理リソース情報に基づいて、各データストリームの物理伝送属性を生成することと、
前記それぞれの物理リソースパーティション上の前記並列データストリームにおける前記伝送データの前記送信の制御に使用するため、前記生成された物理伝送属性を前記ＰＨＹ層に伝達することと
をさらに備えることを特徴とする前記請求項のいずれかに記載の方法。
【請求項１５】
トランスポートフォーマットパラメータを生成することおよび物理伝送属性を生成することは、変調および符号化速度、トランスポートブロックサイズ、伝送時間間隔（ＴＴＩ）長さ、伝送電力、およびハイブリッド自動再送要求（ＨＡＲＱ）パラメータを生成することを含むことを特徴とする請求項１４に記載の方法。
【請求項１６】
物理伝送属性を生成することは、各データストリームに関連づけられている前記生成されたトランスポートフォーマットパラメータおよび共通の伝送時間間隔（ＴＴＩ）の対応するトランスポートブロックに従って、前記各データストリームのハイブリッド自動再送要求（ＨＡＲＱ）プロセス割り当てを生成することを備えることを特徴とする請求項１４および１５のいずれかに記載の方法。
【請求項１７】
物理伝送属性を生成することは、変調および符号化レート、伝送時間間隔（ＴＴＩ）あたりのサブフレーム数、ＴＴＩの継続時間、伝送電力、およびハイブリッド自動再送要求（ＨＡＲＱ）パラメータの属性うちの少なくとも１つを含むことを特徴とする請求項１４から１６のいずれかに記載の方法。
【請求項１８】
物理伝送属性を生成することは、前記高位層および／または前記ＰＨＹ層から受信した合計ＨＡＲＱリソースの情報に基づいて、ハイブリッド自動再送要求（ＨＡＲＱ）パラメータを生成することを含むことを特徴とする請求項１４から１７のいずれかに記載の方法。
【請求項１９】
前記伝送データ特性は、複数の各論理チャネルのＱｏＳ要件を含み、前記物理リソース情報は、前記物理層からのチャネル品質インジケータ（ＣＱＩ）を含み、並列データストリームへの割り当てを定義すること、各データストリームのトランスポートフォーマットパラメータを生成すること、および物理伝送属性を生成することは、前記ＱｏＳ要件および前記ＣＱＩに基づくことを特徴とする請求項１４から１８のいずれかに記載の方法。
【請求項２０】
使用可能なリソースをパーティション化することと、物理伝送属性を生成することに基づいて前記物理（ＰＨＹ）層により前記伝送データを送信することとをさらに備えることを特徴とする請求項１４から１９のいずれかに記載の方法。
【請求項２１】
前記物理（ＰＨＹ）層は、伝前記送データを送信するために使用可能なリソースをロングタームエボリューション（ＬＴＥ）システムの時間および周波数領域において複数のサブチャネルセットにパーティション化することを特徴とする請求項２０に記載の方法。
【請求項２２】
前記物理（ＰＨＹ）層は、前記伝送データを送信するために使用可能なリソースを高速パケットアクセスエボリューション（ＨＳＰＡ＋）システムの符号領域において複数のサブチャネルセットにパーティション化することを特徴とする請求項２０に記載の方法。
【請求項２３】
前記物理（ＰＨＹ）層は、前記伝送データを送信するために使用可能なリソースを様々な多入力多出力（ＭＩＭＯ）伝送ストリームの複数のサブチャネルセットにパーティション化することを特徴とする請求項２０から２２のいずれかに記載の方法。
【請求項２４】
物理（ＰＨＹ）層、メディアアクセス制御（ＭＡＣ）層、および高位層を含む処理層の階層で構成される無線送受信ユニット（ＷＴＲＵ）であって、メディアアクセス制御（ＭＡＣ）層および高位層は、
高位層からの伝送のデータおよび対応する伝送データ特性と、
前記ＰＨＹ層からの物理リソース情報と
を受信するように構成されたＭＡＣ層コンポーネントを備え、
前記ＭＡＣ層コンポーネントは、前記高位層からの前記受信データ特性および前記ＰＨＹ層からの前記物理リソース情報に基づいて、並列データストリームへの前記伝送データの割り当てを定義するように構成されたトランスポートフォーマット選択装置を含み、
前記トランスポートフォーマット選択装置は、前記高位層からの前記受信データ特性および前記ＰＨＹ層からの前記物理リソース情報に基づいて、各データストリームのトランスポートフォーマットパラメータを生成するように構成され、
前記ＭＡＣ層コンポーネントは、前記データストリーム割り当ておよび前記トランスポートフォーマット選択装置によって生成された前記それぞれのトランスポートフォーマットパラメータに従って、前記伝送データをトランスポートブロックの前記並列データストリームに多重化し、それぞれの物理リソースパーティションを通じて伝送するために前記選択的に多重化された伝送データを前記ＰＨＹ層に出力するように構成されたマルチプレクサコンポーネントを含むことを特徴とする無線送受信ユニット。
【請求項２５】
ユーザ機器（ＵＥ）として構成されることを特徴とする請求項２４に記載のＷＴＲＵ。
【請求項２６】
基地局として構成されることを特徴とする請求項２４に記載のＷＴＲＵ。
【請求項２７】
伝送データは、事前定義された時間フレームフォーマット内の伝送時間間隔（ＴＴＩ）で伝送され、前記ＭＡＣ層コンポーネントはその中で伝送するために各伝送時間間隔（ＴＴＩ）に先立って伝送データを処理するように構成されることを特徴とする請求項２４から２６のいずれかに記載のＷＴＲＵ。
【請求項２８】
伝送データは、事前定義された時間フレームフォーマット内の伝送時間間隔（ＴＴＩ）で伝送され、前記ＭＡＣ層コンポーネントは、共通の伝送時間間隔（ＴＴＩ）境界で開始するそれぞれのデータストリームの前記多重化されたデータを伝送するために前記伝送データを並列データストリームに多重化するように構成されることを特徴とする請求項２４から２７のいずれかに記載のＷＴＲＵ。
【請求項２９】
前記伝送データ特性は、ＱｏＳ要件を含み、前記トランスポートフォーマット選択装置は、伝送データの並列データストリームへの割り当てを定義し、前記ＱｏＳ要件に基づいて各データストリームのトランスポートフォーマットパラメータを生成するように構成されることを特徴とする請求項２４から２８のいずれかに記載のＷＴＲＵ。
【請求項３０】
前記トランスポートフォーマット選択装置は、共通のＱｏＳ要件を持つ伝送データを含む２つ以上のデータストリームによって達成される予想ＱｏＳを正規化するトランスポートフォーマットパラメータを生成するように構成されることを特徴とする請求項２９に記載のＷＴＲＵ。
【請求項３１】
前記トランスポートフォーマット選択装置は、異なるＱｏＳ要件を持つ伝送データを含む２つ以上のデータストリームによって達成される予想ＱｏＳを区別するトランスポートフォーマットパラメータを生成するように構成されることを特徴とする請求項２９に記載のＷＴＲＵ。
【請求項３２】
前記伝送データは、複数の論理チャネルを含み、前記トランスポートフォーマット選択装置は、各論理チャネルのデータを並列データストリームの１つに選択的に配分する伝送データの前記並列データストリームへの割り当てを定義するように構成されることを特徴とする請求項２４から３１のいずれかに記載のＷＴＲＵ。
【請求項３３】
前記伝送データは、単一の論理チャネルを含み、前記トランスポートフォーマット選択装置は、前記単一の論理チャネルのデータを前記並列データストリームの間で選択的に配分する伝送データの並列データストリームへの割り当てを定義するように構成されることを特徴とする請求項２４から３１のいずれかに記載のＷＴＲＵ。
【請求項３４】
前記伝送データ特性は、複数の各論理チャネルのＱｏＳ要件を含み、前記物理リソース情報は、前記物理層からのチャネル品質インジケータ（ＣＱＩ）を含み、前記トランスポートフォーマット選択装置は、伝送データの並列データストリームへの割り当てを定義して、前記ＱｏＳ要件およびＣＱＩに基づいて各データストリームのトランスポートフォーマットパラメータを生成するように構成されることを特徴とする請求項２４から３３のいずれかに記載のＷＴＲＵ。
【請求項３５】
トランスポートフォーマット選択装置は、ロングタームエボリューション（ＬＴＥ）システムの時間および周波数領域において複数のサブチャネルセットで送信するために伝送データの並列データストリームへの割り当てを定義するように構成されることを特徴とする請求項２４から３４のいずれかに記載のＷＴＲＵ。
【請求項３６】
前記トランスポートフォーマット選択装置は、高速パケットアクセスエボリューション（ＨＳＰＡ＋）システムの符号領域において複数のサブチャネルセットで送信するために伝送データの並列データストリームへの割り当てを定義するように構成されることを特徴とする請求項２４から３４のいずれかに記載のＷＴＲＵ。
【請求項３７】
前記トランスポートフォーマット選択装置は、様々な多入力多出力（ＭＩＭＯ）伝送ストリームの複数のサブチャネルセットで送信するために伝送データの並列データストリームへの割り当てを定義するように構成されることを特徴とする請求項２４から３６のいずれかに記載のＷＴＲＵ。
【請求項３８】
前記トランスポートフォーマット選択装置は、関連するチャネル品質特性を持つ複数のサブチャネルセットで送信するために伝送データの並列データストリームへの割り当てを定義するように構成され、前記ＰＨＹ層からの前記物理リソース情報は、１つまたは複数のチャネル品質インジケータ（ＣＱＩ）によって供給されるチャネル品質特性を含むことを特徴とする請求項２４から３７のいずれかに記載の方法。
【請求項３９】
前記トランスポートフォーマット選択装置は、前記高位層からの前記受信データ特性および／または前記ＰＨＹ層からの前記物理リソース情報に基づいて各データストリームの物理伝送属性を生成して、前記それぞれの物理リソースパーティション上の前記並列データストリームにおける伝送データの送信の制御に使用するため、前記生成された物理伝送属性を前記ＰＨＹ層に出力するように構成されることを特徴とする請求項２４から３８のいずれかに記載のＷＴＲＵ。
【請求項４０】
前記トランスポートフォーマット選択装置は、変調および符号化速度、トランスポートブロックサイズ、伝送時間間隔（ＴＴＩ）長さ、伝送電力、およびハイブリッド自動再送要求（ＨＡＲＱ）パラメータを含むトランスポートフォーマットパラメータおよび物理伝送属性を生成するように構成されることを特徴とする請求項３９に記載のＷＴＲＵ。
【請求項４１】
前記トランスポートフォーマット選択装置は、各データストリームに関連付けられている生成されたトランスポートフォーマットパラメータに従って前記各データストリームのハイブリッド自動再送要求（ＨＡＲＱ）プロセス割り当てを含む物理伝送属性を生成するように構成されることを特徴とする請求項３９および４０のいずれかに記載のＷＴＲＵ。
【請求項４２】
前記トランスポートフォーマット選択装置は、変調および符号化速度、伝送時間間隔（ＴＴＩ）あたりのサブフレーム数、ＴＴＩの継続時間、伝送電力、およびハイブリッド自動再送要求（ＨＡＲＱ）パラメータの属性うちの少なくとも１つを含む物理伝送属性を生成するように構成されることを特徴とする請求項３９から４１のいずれかに記載のＷＴＲＵ。
【請求項４３】
前記トランスポートフォーマット選択装置は、前記高位層および／または前記ＰＨＹ層から受信した合計ＨＡＲＱリソースの情報に基づいて、ハイブリッド自動再送要求（ＨＡＲＱ）パラメータを含む物理伝送属性を生成するように構成されることを特徴とする請求項３９から４２のいずれかに記載のＷＴＲＵ。
【請求項４４】
前記伝送データ特性は、複数の各論理チャネルのＱｏＳ要件を含み、前記物理リソース情報は、前記物理層からのチャネル品質インジケータ（ＣＱＩ）を含み、前記トランスポートフォーマット選択装置は、伝送データの並列データストリームへの割り当てを定義し、各データストリームのトランスポートフォーマットパラメータを生成して、前記ＱｏＳ要件およびＣＱＩに基づいて物理伝送属性を生成するように構成されることを特徴とする請求項３９から４３のいずれかに記載のＷＴＲＵ。
【請求項４５】
使用可能なリソースをパーティション化して、前記トランスポートフォーマット選択装置によって出力された物理伝送属性に基づいて前記多重化された伝送データを送信するように構成された物理（ＰＨＹ）層コンポーネントをさらに備えることを特徴とする請求項３９から４４のいずれかに記載のＷＴＲＵ。
【請求項４６】
前記物理（ＰＨＹ）層コンポーネントは、前記伝送データを送信するために使用可能なリソースをロングタームエボリューション（ＬＴＥ）システムの時間および周波数領域において複数のサブチャネルセットにパーティション化するように構成されることを特徴とする請求項４５に記載のＷＴＲＵ。
【請求項４７】
前記物理（ＰＨＹ）層コンポーネントは、前記伝送データを送信するために使用可能なリソースを高速パケットアクセスエボリューション（ＨＳＰＡ＋）システムの符号領域において複数のサブチャネルセットにパーティション化するように構成されることを特徴とする請求項４５に記載のＷＴＲＵ。
【請求項４８】
前記物理（ＰＨＹ）層コンポーネントは、前記伝送データを送信するために使用可能なリソースを様々な多入力多出力（ＭＩＭＯ）伝送ストリームの複数のサブチャネルセットにパーティション化するように構成されることを特徴とする請求項４５から４７のいずれかに記載のＷＴＲＵ。
【発明の詳細な説明】
【技術分野】
【０００１】
本発明は、高速パケットアクセスエボリューション（ＨＳＰＡ＋）およびロングタームエボリューション（ＬＴＥ）システムのメディアアクセス制御（ＭＡＣ）設計に関する。さらに詳細には、本発明は、共通の伝送時間間隔（ＴＴＩ：ｔｒａｎｓｍｉｓｓｉｏｎ  ｔｉｍｅ  ｉｎｔｅｒｖａｌ）で伝送されるデータのサービス品質（ＱｏＳ）要件に従って、物理リソースおよびトランスポートフォーマット属性を複数の並列データストリームに割り当てるための方法および装置に関する。
【背景技術】
【０００２】
無線通信システムは、当技術分野においてよく知られている。通信規格は、無線システムのグローバルな接続をもたらすため、および、例えばスループット、待ち時間、カバレッジに関してパフォーマンスゴールを達成するために開発される。ユニバーサルモバイルテレコミュニケーションシステム（ＵＭＴＳ）と呼ばれる広く普及している１つの現在の規格は、第三世代（３Ｇ）無線システムの一部として開発されたものであり、第三世代パートナーシッププロジェクト（３ＧＰＰ）によって管理されている。
【０００３】
図１に、現在の３ＧＰＰ仕様に従う標準的なＵＭＴＳシステムアーキテクチャを示す。ＵＭＴＳネットワークアーキテクチャは、Ｉｕインターフェースを介してＵＭＴＳテレストリアル無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）と相互接続されたコアネットワーク（ＣＮ）を含む。ＵＴＲＡＮは、Ｕｕ無線インターフェースを介して、３ＧＰＰ規格においてユーザ機器（ＵＥ）と呼ばれる無線送受信ユニット（ＷＴＲＵ）を通じて無線通信サービスをユーザに提供するように構成される。ＵＭＴＳ規格において一般に採用されるエアーインターフェースは、広帯域符号分割多元接続（ＷＣＤＭＡ）である。ＵＴＲＡＮは、３ＧＰＰによってノードＢ（Ｎｏｄｅ  Ｂ）と呼ばれる１つまたは複数の無線ネットワークコントローラ（ＲＮＣ）および基地局を備えるが、これらは集合的にＵＥとの無線通信のための地理的カバレッジを提供する。１つまたは複数のノードＢはＩｕｂインターフェースを介して各ＲＮＣに接続され、ＵＴＲＡＮ内のＲＮＣはＩｕｒインターフェースを介して通信する。
【０００４】
３ＧＰＰシステムのＵｕ無線インターフェースは、ＵＥとノードＢとの間のユーザデータの転送とシグナリングにトランスポートチャネル（ＴｒＣＨ）を使用する。３ＧＰＰ通信において、ＴｒＣＨデータは、相互排他的な物理リソースによって、または共用チャネルの場合は共用物理リソースによって、定義された１つまたは複数の物理チャネルによって伝達される。ＴｒＣＨデータは、トランスポートブロックセット（ＴＢＳ）として定義されるトランスポートブロック（ＴＢ）の順次的グループで転送される。各ＴＢＳは、複数の連続するシステム時間フレームにわたる場合もある所定の伝送時間間隔（ＴＴＩ）で伝送される。例えば、３ＧＰＰ  ＵＭＴＳ  リリース‘９９（Ｒ９９）仕様によれば、標準的なシステム時間フレームは１０ミリ秒であり、ＴＴＩはそのような時間フレームの１、２、４、または８にわたるものと規定されている。リリース５仕様のＵＭＴＳ規格部分の改良である、高速ダウンリンクパケットアクセス（ＨＳＤＰＡ）、およびリリース６仕様の一部である高速アップリンクパケットアクセス（ＨＳＵＰＡ）によれば、ＴＴＩは通常２ｍｓであり、そのためシステム時間フレームのほんのわずかな部分でしかない。
【０００５】
ＴｒＣＨを符号化複合ＴｒＣＨ（ＣＣＴｒＣＨ：Ｃｏｄｅｄ  Ｃｏｍｐｏｓｉｔｅ  ＴｒＣＨ）に、そして１つまたは複数の物理チャネルデータストリームに処理することは、例えば、３ＧＰＰ  ＴＳ２５．２２２で時分割複信（ＴＤＤ）通信に関して説明されている。ＴＢＳデータから開始して、巡回冗長検査（ＣＲＣ）ビットが付加され、トランスポートブロックの連結およびコードブロックのセグメンテーションが実行される。次いで、畳み込み符号化またはターボ符号化が実行されるが、いくつかの場合には符号化は指定されない。符号化後のステップは、無線フレーム等化、第１のインターリーブ、無線フレームのセグメンテーション、およびレートマッチングを含む。無線フレームのセグメンテーションは、指定されたＴＴＩのフレーム数にわたりデータを分割する。レートマッチング機能は、ビット繰り返しまたはパンクチャリングにより動作し、各処理されたＴｒＣＨのビット数を定義し、その後多重化されてＣＣＴｒＣＨデータストリームを形成する。
【０００６】
標準的な３ＧＰＰシステムにおいて、ＵＥとノードＢとの間の通信は、単一のＣＣＴｒＣＨデータストリームを使用して行われるが、ノードＢは、それぞれの他のＣＣＴｒＣＨデータストリームを使用して他のＵＥと同時並行的に通信することができる。
【０００７】
ＣＣＴｒＣＨデータストリームの処理は、ビットスクランブリング、物理チャネルセグメンテーション、第２のインターリービング、および１つまたは複数の物理チャネルへのマッピングを含む。物理チャネルの数は、物理チャネルセグメンテーションに対応する。ＵＥからノードＢへのアップリンク伝送の場合、ＣＣＴｒＣＨの伝送ための最大物理チャネル数は、現在２と指定されている。ノードＢからＵＥへのダウンリンク伝送の場合、ＣＣＴｒＣＨの伝送のための最大物理チャネル数は、現在１６と指定されている。次いで、各物理チャネルデータストリームは、チャネル化コードで拡散され、割り当てられた周波数で電波伝送を介して変調される。
【０００８】
ＴｒＣＨデータの受信／復号化において、処理は原則的に、受信局によって逆に行われる。したがって、ＵＥおよびノードＢによるＴｒＣＨの物理的な受信には、ＴＢＳデータを再構築するためのＴｒＣＨ処理パラメータの知識が必要となる。ＴｒＣＨごとに、あらかじめ定められた数のトランスポートフォーマット（ＴＦ）を含むトランスポートフォーマットセット（ＴＦＳ）が指定される。各ＴＦは、ＴＢおよびＴＢＳサイズを含む様々な動的パラメータ、およびＴＴＩ、符号化タイプ、符号化レート、レートマッチングパラメータ、ＣＲＣ長さを含む様々な半静的パラメータを指定する。特定のフレームに対するＣＣＴｒＣＨのＴｒＣＨについてのＴＦＳの事前定義された集合は、トランスポートフォーマットコンビネーション（ＴＦＣ）として示される。各ＵＥについて、単一のＴＦＣがＴＴＩごとに選択されて、ＵＥあたりＴＴＩごとに１つのＴＦＣが処理されるようになっている。
【０００９】
受信局の処理は、ＣＣＴｒＣＨのトランスポートフォーマットコンビネーションインジケータ（ＴＦＣＩ）の伝送により容易になる。特定のＣＣＴｒＣＨの各ＴｒＣＨについて、送信局は、ＴＴＩに有効となるＴｒＣＨのＴＦＳの特定のＴＦを決定し、トランスポートフォーマットインジケータ（ＴＦＩ）によってそのＴＦを識別する。ＣＣＴｒＣＨのすべてのＴｒＣＨのＴＦＩは、ＴＦＣＩに結合される。例えば、ＴｒＣＨ１およびＴｒＣＨ２という２つのＴｒＣＨが多重化されてＣＣＴｒＣＨ１を形成し、ＴｒＣＨ１がＴＦ１０およびＴＦ１１という２つの可能なＴＦをそのＴＦＳに有し、ＴｒＣＨ２がＴＦ２０、ＴＦ２１、ＴＦ２２、ＴＦ２３という４つの可能なＴＦをそのＴＦＳに有する場合、ＣＣＴｒＣＨ１の有効なＴＦＣＩは（０，０）、（０，１）、（１，２）、（１，３）を含むことができるが、すべての組合せを含むとは限らない。ＣＣＴｒＣＨ１のＴＦＣＩとしての（０，０）の受信は、受信したＣＣＴｒＣＨ１のＴＴＩについてＴｒＣＨ１がＴＦ１０でフォーマットされ、ＴｒＣＨ２がＴＦ２０でフォーマットされたことを受信局に知らせる。ＣＣＴｒＣＨ１のＴＦＣＩとしての（１，２）の受信は、受信したＣＣＴｒＣＨ１のＴＴＩについてＴｒＣＨ１がＴＦ１１でフォーマットされ、ＴｒＣＨ２がＴＦ２２でフォーマットされたことを受信局に知らせる。
【００１０】
それぞれＨＳＤＰＡおよびＨＳＵＰＡに関連するＵＭＴＳ仕様リリース５および６において、高速再伝送は、ハイブリッド自動再送要求（ＨＡＲＱ：ｈｙｂｒｉｄ−ａｕｔｏｍａｔｉｃ  ｒｅｐｅａｔ  ｒｅｑｕｅｓｔ）に従って達成される。ＴＴＩあたり１つのハイブリッド自動再送要求（ＨＡＲＱ）プロセスしか使用されないことが現在指定されている。
【００１１】
高速パケットアクセスエボリューション（ＨＳＰＡ＋）とユニバーサルテレストリアル無線アクセス（ＵＴＲＡ）およびＵＴＲＡＮロングタームエボリューション（ＬＴＥ）は、ＵＭＴＳシステムにおける高いデータ転送レート、低い待ち時間の、パケット最適化されたシステム能力およびカバレッジの達成に向けた３ＧＰＰ主導による現在の取り組みの一環である。この関連で、ＨＳＰＡ＋およびＬＴＥは共に、既存の３ＧＰＰ無線インターフェースと無線ネットワークアーキテクチャに大幅な変更を加えて設計されている。例えば、ＬＴＥにおいて、現在ＵＭＴＳに使用されている符号分割多元接続（ＣＤＭＡ）チャネルアクセスを、それぞれダウンリンクおよびアップリンク伝送のエアーインターフェース技術として直交周波数分割多元接続（ＯＦＤＭＡ）および周波数分割多元接続（ＦＤＭＡ）に置き換えることが提案された。ＨＳＰＡ＋によって提案されるエアーインターフェース技術は、符号分割多元接続（ＣＤＭＡ）に基づいているが、チャネル品質に関して優れた独立チャネル化コードを含むことができるさらに効率的な物理（ＰＨＹ）層アーキテクチャを備える。ＬＴＥおよびＨＳＰＡ＋はいずれも、多入力多出力（ＭＩＭＯ）通信物理層のサポートに合わせて設計されている。そのような新しいシステムにおいて、複数データストリームは、ＵＥとノードＢとの間の通信に使用することができる。
【発明の開示】
【発明が解決しようとする課題】
【００１２】
発明者は、既存の３ＧＰＰメディアアクセス制御（ＭＡＣ）層の手順が、提案されるシステムの新しいＰＨＹ層アーキテクチャおよび特徴に対処するようには設計されていないことを認識した。現在のＵＭＴＳ規格におけるＴＦＣの選択は、ＬＴＥの副搬送波の時間および周波数の配分と数、ＨＳＰＡ＋のチャネル化コードと、ＭＩＭＯの場合の異なるアンテナビームを含む（ただし、これらに限定されない）、ＬＴＥおよびＨＳＰＡ＋によってもたらされる新しいトランスポートフォーマット（ＴＦ）属性のいくつかを考慮に入れていない。
【００１３】
現在のＵＭＴＳ規格で定義されているＭＡＣ手順によれば、共通の伝送時間間隔（ＴＴＩ）境界において開始する物理チャネル上の伝送に必要な属性を決定するために１つのトランスポートフォーマットコンビネーション（ＴＦＣ）選択プロセスしか要求されないように、トランスポートブロックに多重化されたデータは、一度に単一のデータストリームにマップされる。したがって、エラー訂正のためのデータ再伝送を制御する１つのハイブリッド自動再送要求（ＨＡＲＱ）プロセスのみが、所定のＵＥ−ノードＢ間の通信に割り振られる。前述のＨＳＰＡ＋およびＵＭＴＳの提案されるＰＨＹ層の変更によれば、所定のＵＥ−ノードＢ間通信について、複数の物理リソースグループがデータの伝送に同時に使用可能となり、その結果、複数のデータストリームが通信のために伝送される可能性がもたらされる。
【００１４】
発明者は、共通のＴＴＩ境界から開始して、複数のデータストリームが各々共通または異なるサービス品質（ＱｏＳ）要件を有し、変調および符号化など特殊な伝送属性、および様々なハイブリッド自動再送要求（ＨＡＲＱ）プロセスを必要とすることを認識した。一例として、多入力多出力（ＭＩＭＯ）通信の場合、独立したデータストリームは、空間的な相異があるので、同時に伝送することができる。しかし、それぞれ空間的に異なるデータストリームには、異なるチャネル特性があるので、その望ましいＱｏＳ要件を満たすために独自の伝送属性およびＨＡＲＱプロセスが必要となる。現在、複数のデータストリームに同時に属性を割り当てるため、および並列データストリームに同等または同等ではないＱｏＳを効果的に提供するためのＭＡＣの方法または手順はない。
【００１５】
発明者は、ＨＳＰＡ＋およびＬＴＥシステムの新しいＰＨＹ層属性および特徴を活用するチャネル品質測定およびＱｏＳ要件に従って並行して複数のトランスポートフォーマットを選択するための方法を開発した。
【課題を解決するための手段】
【００１６】
本発明は、物理層構造および属性、動的リソース割り振り、ＭＩＭＯとなる伝送方式、および複数のＱｏＳ要件を含む高速パケットアクセスエボリューション（ＨＳＰＡ＋）およびロングタームエボリューション（ＬＴＥ）システムによって提案される変更に対処するためのメディアアクセス制御（ＭＡＣ）層におけるトランスポートフォーマットコンビネーション（ＴＦＣ）選択の方法および装置を提供する。複数のＴＦＣ選択手順を同時に実行して、物理チャネル特性に従ってデータのサービス品質（ＱｏＳ）要件を満たす並列データストリームに伝送属性を割り当てるための方法が提供される。本発明は、並列ＴＦＣ選択機能を介して正規化または区別化されたＱｏＳにより共通の伝送時間間隔（ＴＴＩ）境界での複数のデータストリームの伝送をサポートする。前述のようなＨＳＰＡ＋およびＬＴＥシステムの新しい機能に対処する高速ダウンリンクパケットアクセス（ＨＳＤＰＡ）および高速アップリンクパケットアクセス（ＨＳＵＰＡ）プロトコルで定義されている、以前の３ＧＰＰ  ＴＦＣ選択手順に大幅な変更がもたらされる。本発明は、様々な動的ハイブリッド自動再送要求（ＨＡＲＱ）がデータストリームに適用可能である場合にＨＡＲＱプロセス割り当てを容易にもたらす。
【００１７】
好ましい実施形態について、受信機および送信機を含む無線送受信ユニット（ＷＴＲＵ）と、物理（ＰＨＹ）層、メディアアクセス制御（ＭＡＣ）層、および高位層を含む処理層の階層において通信データを処理する方法とが提供される。ＭＡＣ層トランスポートフォーマット選択装置は、高位層から受信したデータ特性とＰＨＹ層から受信した物理リソース情報に基づいて、並列データストリームへの高位層伝送データの割り当てを定義する。トランスポートフォーマット選択装置はまた、各データストリームのトランスポートフォーマットパラメータを生成する。マルチプレクサコンポーネントは、データストリーム割り当てと、トランスポートフォーマット選択装置によって生成されたそれぞれのトランスポートフォーマットパラメータに従って、伝送データをトランスポートブロックの並列データストリームに多重化し、無線信号を伝送する１つまたは複数のアンテナを介してそれぞれの物理リソースパーティションを通じて伝送するために選択的に多重化された伝送データをＰＨＹ層に出力する。好ましくは、トランスポートフォーマット選択装置はまた、変調および符号化速度（ＭＣＲ）、伝送時間間隔（ＴＴＩ）あたりのサブフレーム数、ＴＴＩの継続時間、伝送電力、およびハイブリッド自動再送要求（ＨＡＲＱ）パラメータなどの、物理伝送属性も生成する。
【００１８】
その他の目的および利点は、本発明の現在の好ましい実施形態の以下の説明を基にすれば当業者には容易に明らかとなろう。
【００１９】
本発明のさらに詳細な理解は、例示により示され、添付の図面と併せて理解される、以下の説明から得ることができる。
【発明を実施するための最良の形態】
【００２０】
本発明は、第三世代パートナーシッププロジェクト（３ＧＰＰ）のロングタームエボリューション（ＬＴＥ）および高速パケットアクセスエボリューション（ＨＳＰＡ＋）システムを含む無線通信システムに適用可能であるが、これらに限定されることはない。本発明は、アップリンク（ＵＬ）およびダウンリンク（ＤＬ）通信のいずれにも使用することができるので、ユーザ機器（ＵＥ）とも呼ばれる無線送受信ユニット（ＷＴＲＵ）、または基地局とも呼ばれるノードＢにおいて使用することができる。
【００２１】
一般に、無線送信／受信ユニット（ＷＴＲＵ）は、ユーザ機器、移動局、固定または移動加入者ユニット、ページャ、携帯電話、個人情報端末（ＰＤＡ）、コンピュータ、または無線環境において動作することのできる他の任意の種類の装置を含むが、これらに限定されることはない。基地局は、一般に複数のＷＴＲＵにネットワークサービスを提供するために設計されたＷＴＲＵの一種であり、ノードＢ、サイトコントローラ、アクセスポイント、または無線環境における他の任意の種類のインターフェース接続装置を含むが、これらに限定されることはない。
【００２２】
改訂されたＭＡＣプロトコルは、ＨＳＰＡ＋のチャネル化コード、ＬＴＥの周波数および時間領域における副搬送波の数および配分、ＨＳＰＡ＋およびＬＴＥの多入力多出力（ＭＩＭＯ）方式における異なるアンテナビーム、およびＨＳＰＡ＋およびＬＴＥのＭＩＭＯ方式におけるアンテナのサブセットを含む（ただし、これらに限定されることはない）高速パケットアクセスエボリューション（ＨＳＰＡ＋）およびロングタームエボリューション（ＬＴＥ）システムによってもたらされる新しい属性およびリソースを考慮に入れるために提供される。ＭＩＭＯを採用するＨＳＰＡ＋およびＬＴＥシステムの場合、本発明は、例えば、様々な変調および符号化方式など、複数の並列データストリームの各々に対して、様々なリンク適応パラメータを提供する。複数の並列データストリームは、好ましくは伝送されるデータのサービス品質（ＱｏＳ）要件およびチャネルのチャネル品質に基づいて、様々な空間チャネルの様々な物理リソースグループに割り当てられる。具体的に、方法は、同一のＱｏＳが望ましい場合に並列データストリームにわたりＱｏＳを正規化し、例えばデータストリームが異なるＱｏＳ要件を持つ異なる無線ベアラから送出される場合に、並列データストリームの異なるＱｏＳ要件を実現するために提供される。
【００２３】
図２は、本発明による、ＬＴＥまたはＨＳＰＡ＋システムで動作するように構成されたＷＴＲＵのメディアアクセス（ＭＡＣ）層処理コンポーネント２００において各ＴＴＩの複数のトランスポートフォーマットコンビネーション（ＴＦＣ）選択に関連付けられている送信機および／または受信機に備えられる選択されたコンポーネントの好ましい実施形態を示す。ＴＦＣ選択は、各伝送時間間隔（ＴＴＩ）に先立ってアクティブなデータストリームごとに発生し、データがどのように伝送されるかを決定することを伴うプロセスである。
【００２４】
メディアアクセス（ＭＡＣ）層処理コンポーネント２００は、高位層によって提供される所定のＵＥ−ノードＢ通信リンクの無線リンク制御プロトコル（ＲＬＣ）を介して１つまたは複数の無線ベアラ２０４１〜２０４Ｍからデータを受信するように構成される。ＲＬＣ層、無線リソース制御（ＲＲＣ）層、およびレイヤ３を含む高位層は、ＭＡＣ層コンポーネント２００の上位にある高位層コンポーネント２０３によって表される。無線ベアラ２０４１〜２０４Ｍのデータは、好ましくは、現在のＴＴＩのＴＦＣ選択が生じた後まで、例えばＲＬＣ層の上位の、ＭＡＣ層の上の層でバッファ２１９にバッファされ、その時点においてデータはデータマルチプレクサコンポーネント２２０によって、以下で説明されるように、指定されたトランスポートブロックに多重化されている。
【００２５】
ＭＡＣ層処理コンポーネント２００はまた、サービス品質（ＱｏＳ）要件および各無線ベアラのその他のデータ特性２０２１〜２０２Ｍを受信するように構成される。高位層（つまり、レイヤ３またはそれ以上）によって提供されるＱｏＳ要件は、ハイブリッド自動再送要求（Ｈ−ＡＲＱ）再伝送の数、ブロックエラーレート、優先順位、許容されるデータ組合せ、および／または電力オフセットを含むことができるが、これらに限定されることはない。その他のデータ特性は、無線ベアラのデータのチャネルごとのバッファ特性などの項目を含むことができる。
【００２６】
物理層コンポーネント２０１によって表される物理（ＰＨＹ）層から、ＭＡＣ層処理コンポーネント２００は、ＴＴＩごとに変えることができるチャネル品質測定および動的スケジューリングパラメータなどの使用可能な物理リソースの各グループのチャネル特性２０６１〜２０６Ｎを受信する。トランスポートフォーマットコンビネーション（ＴＦＣ）選択装置２０８は、ＭＡＣ層処理コンポーネント２００の一部として提供される。ＴＦＣ選択装置２０８は、高位層から伝達された情報２０２１〜２０２Ｍと２０７、およびＰＨＹ層から伝達された情報２０６１〜２０６Ｎに基づいて、無線ベアラデータ２０４１〜２０４Ｍおよび使用可能な物理リソースパーティションを割り当てるように構成される。
【００２７】
ＴＦＣ選択の目的でＰＨＹ層から各ＴＴＩでＭＡＣ層に伝えられた使用可能な物理リソースのチャネル特性は、例えば、チャネル品質のチャネル品質インジケータ（ＣＱＩ）の形態をとることができる。サブチャネルは、ＬＴＥにおいて副搬送波、およびＨＳＰＡ＋においてチャネル化コードとして供給することができる。本発明は、許容されるトランスポートブロック（ＴＢ）またはＴＢセットサイズ、サブフレームの数、変調速度、符号化速度、（ＬＴＥの場合）副搬送波の時間および周波数配分、サブチャネルの数（つまり、副搬送波またはチャネル化コード）、許容される最大伝送電力、ＭＩＭＯにおけるアンテナビーム、ＭＩＭＯにおけるアンテナのサブセット、ＴＴＩ継続時間、およびＨ−ＡＲＱパラメータを含む、各ＴＴＩごとに変えることができる、ＬＴＥおよびＨＳＰＡ＋によって導入される新しい動的トランスポートフォーマット（ＴＦ）パラメータを考慮に入れるが、これらに限定されることはない。これらの動的ＴＦパラメータは、ＰＨＹ層データ２０６１〜２０６Ｎによって供給される対応する制限に基づいて各ＴＴＩに先立ってＴＦＣ選択装置２０８において決定されることが好ましい。
【００２８】
一部のＴＦパラメータは、変更するために複数のＴＴＩを要し、そのためＴＴＩごとではなく、複数のＴＴＩの後にしか動的に更新されないので、半静的であると見なされる。半静的ＴＦパラメータの例は、チャネル符号化の種類、および巡回冗長検査（ＣＲＣ）のサイズを含む。好ましくは、半静的パラメータは、例えば、無線リソース制御（ＲＲＣ）層などの、高位層からのトランスポートフォーマットコンビネーション（ＴＦＣ）選択装置２０８へのシグナリング情報２０７に従って決定される。
【００２９】
ＴＦＣ選択装置２０８は、無線ベアラデータ２１０１〜２０４Ｍと、無線ベアラデータ２０４１〜２０４Ｍをそれぞれのデータストリーム２０９１〜２０９Ｎに割り当ててそれぞれのＨＡＲＱプロセス２３０１〜２３０Ｎを識別する対応する並列ＴＦＣ選択機能２１０１〜２１０Ｎへの使用可能な物理リソースパーティションとを、それぞれのデータストリームにそれぞれのＨＡＲＱプロセス２４０１〜２４０Ｎを適用するＰＨＹ層に割り当てるように構成される。データストリーム２０９１〜２０９Ｎは、１つまたは複数の論理チャネルからのデータで構成することができ、各々単一の無線ベアラまたは複数の無線ベアラから導き出すことができる。単一の無線ベアラのデータは、分割することができ、ＴＦＣ選択装置２０８によって決定される様々なデータストリームに割り当てることができる。例えば、１つの無線ベアラだけがデータを伝達している場合、その無線ベアラのデータは、特にＵＬ伝送の場合、使用可能な物理リソースパーティションのすべてを効率的に使用するためにストリームに分割されることが好ましい。
【００３０】
通常、使用可能な物理リソースパーティションは、ＰＨＹ層２０６１〜２０６Ｎから受信した情報で定義される。アップリンク（ＵＬ）伝送の場合、ＴＦＣ選択装置は、ＲＲＣ層シグナリング２０７から物理リソースパーティションおよび各パーティションの各物理リソースの伝送パラメータを指示する明示的なパーティション命令を受信することができる。同様に、ＲＲＣ層２０７からのシグナリングは、データフローまたは無線ベアラに固有のパーティションを指示することができる。許容される範囲内で、ＰＨＹ層の情報２０６１〜２０６Ｎは、物理パーティションの物理リソースのグループ化にオプションの選択肢を含めることができる。そのような場合、ＴＦＣ選択装置２０８はさらに、ＰＨＹ層２０６１〜２０６Ｎおよび／またはＲＲＣ層２０７から通知された許容可能なパーティション化基準からパーティションを選択する。
【００３１】
ＴＦＣ選択装置２０８は、データストリーム２０９１〜２０９Ｎを定義する際に、無線ベアラ２０４１〜２０４ＭのチャネルデータのデータＱｏＳ要件を、使用可能な物理リソースパーティションの物理チャネル品質と照合することが好ましい。ＴＦＣ選択装置２０８は、無線ベアラ２０４１〜２０４Ｎのチャネルデータがそれぞれの割り当てられたデータストリーム２０９１〜２０９Ｎへと適切に仕向けられるように、割り当てデータ２１４を介してマルチプレクサコンポーネント２２０へのデータストリーム２０９１〜２０９Ｎの無線ベアラ２０４１〜２０４Ｍの割り当てをもたらす。データストリーム２０９１〜２０９Ｎはそれぞれ、従来技術の単一ＣＣＴｒＣＨまたは単一ＴｒＣＨデータストリームと多少類似しているが、独立した処理／伝送トラックをたどるＵＥとノードＢ間の通信のために選択された無線ベアラのデータの分割を表している。
【００３２】
ＴＦＣ選択機能２１０１〜２１０Ｎは、トランスポートフォーマット（ＴＦ）またはＴＦセットを生成し、対応する物理リソースパーティションのチャネル品質パラメータに基づいて、並列データストリーム２０９１〜２０９Ｎの望ましいＱｏＳを供給する。それぞれの選択された物理リソースパーティションのＴＦ選択は、信号２３０１〜２３０Ｎによって表されるようにＰＨＹ層に供給される。ＴＦＣ選択機能２１０１〜２１０Ｎはまた、サブフレームの数、変調速度、符号化速度、（ＬＴＥの）副搬送波の時間および周波数配分、サブチャネルの数（つまり、副搬送波またはチャネル化コード）、許容される最大伝送電力、ＭＩＭＯにおけるアンテナビーム、ＭＩＭＯにおけるアンテナのサブセット、ＴＴＩ継続時間、およびＨ−ＡＲＱパラメータなどの、物理リソースパーティションの物理リソースに使用可能なパラメータの選択を行うことが好ましい。これらの選択は、ほとんどの場合、ＰＨＹ層によって制限されることになる。しかし、使用可能なＨＡＲＱリソースの合計量は、ＭＡＣコンポーネント２００に通知されて、ＴＦＣ選択機能２１０１〜２１０Ｎが、信号２３０１〜２３０Ｎを介してデータストリーム２０９１〜２０９ＮのＨＡＲＱプロセスをＰＨＹ層に割り当てられるようにすることができる。ＨＡＲＱパーティションの割り当ては、特に、変調および符号化方式（ＭＣＳ）の値とＴＢサイズなど、その他の関連するパラメータの値に影響を受ける。ＴＦＣ選択機能２１０１〜２１０Ｎは、それぞれのデータストリーム２０９１〜２０９ＮのＨＡＲＱパーティション割り当てを決定するとき、物理リソースパーティションの各々の物理層パラメータの値、好ましくはＭＣＳおよびＴＢサイズを考慮に入れる。ＰＨＹ層がＨＡＲＱリソースパーティション化を指示するような制限がさらにある場合、ＭＡＣコンポーネント２００は、データストリーム２０９１〜２０９Ｎに割り当てられるＨＡＲＱプロセスを選択しない。
【００３３】
各データストリーム２０９１〜２０９ＮのＴＢサイズを含むＴＦの選択は、２１５１〜２１５Ｎを介してデータマルチプレクサコンポーネント２２０に供給される。データマルチプレクサコンポーネント２２０は、この情報を使用して、それぞれの高位層データストリーム２０９１〜２０９Ｎを、ＴＦＣ選択装置２０８によって決定された、それぞれ割り当てられた物理リソースパーティションに指定されたトランスポートブロック（ＴＢ）またはＴＢセット２５０１〜２５０Ｎに連結およびセグメント化する。ＴＢ２５０１〜２５０Ｎは、共通の伝送時間間隔（ＴＴＩ）境界で開始する物理チャネルを通じての伝送のためにＰＨＹ層に供給されることが好ましい。好ましくは、ＰＨＹ層は、無線信号を介してＴＢを伝送するための１つまたは複数のアンテナを含む。
【００３４】
好ましくは、信号２３０１〜２３０ＮおよびＴＢ２５０１〜２５０Ｎは、ＭＡＣ層処理コンポーネント２００で調整され、組み合わされて、各ＴＴＩ境界に先立ってＰＨＹ層に一緒に通知することができる。
【００３５】
１つの実施形態において、ＴＦＣ選択機能２１０１〜２１０Ｎは、トランスポートフォーマット（ＴＦ）を生成して、２つ以上のデータストリーム２０９１〜２０９Ｎに提供される予想ＱｏＳを正規化する。この実施形態は、共通のＴＴＩで伝送されるべき共通のＱｏＳ要件を持つ無線ベアラまたは無線ベアラのセットからデータが送出される場合に望ましい。
【００３６】
もう１つの実施形態において、ＴＦＣ選択機能２１０１〜２１０Ｎは、トランスポートフォーマット（ＴＦ）を生成して、２つ以上のデータストリーム２０９１〜２０９Ｎに供給される予想ＱｏＳを区別する。この代替実施形態は、それぞれのデータストリームのデータを提供する２つ以上の無線ベアラセットが異なるＱｏＳ要件を有する場合、または、例えば音声ストリームなどの単一の無線ベアラが優先順位を含む異なるＱｏＳを持つデータを含む場合に望ましい。
【００３７】
図３に示されるように、本発明による、ＭＡＣ層に関して各ＴＴＩ境界に先立って開始される基本処理ステップ３００の例は、バッファ分析３０５、物理リソースパーティション化およびデータフロー割り当て３１０、伝送属性決定３１５、およびデータ多重化３２０を含む。前述のように、本発明は、様々なＨＡＲＱがデータストリーム２０９１〜２０９Ｎに適用可能である場合、ＭＡＣコンポーネントによるＨＡＲＱプロセス割り当てを容易にもたらす。
【００３８】
ステップ３０５において、データ、対応するサービス品質（ＱｏＳ）要件、および場合によってはデータの物理リソースパーティション要件を含むその他の特徴は、例えば無線リソース制御（ＲＲＣ）層および無線リンク制御（ＲＬＣ）層などの高位層から受信される。チャネル品質インジケータ（ＣＱＩ）および動的スケジューリング情報などのパラメータは、データが伝送される伝送時間間隔（ＴＴＩ）に先立って、物理（ＰＨＹ）層から受信されることが好ましい。ハイレベルデータ情報は、ＰＨＹ層パーティション情報と比較して分析され、使用可能な高位層データのＱｏＳ要件と、関連するＣＱＩレベルおよび動的スケジューリング情報を持つ使用可能な物理リソースパーティションを決定する。ステップ３１０において、使用可能な物理リソースパーティションと、例えばＱｏＳ要件をＣＱＩおよび動的スケジューリング情報と照合することにより、高位層チャネルデータから生じた並列データストリームの割り当てがある。ステップ３１５において、各データストリームに関連付けられているトランスポートフォーマット（ＴＦ）またはＴＦセット、および割り当てられた物理リソースパーティションが生成されて、チャネル品質パラメータと対応する物理リソースパーティションの動的スケジューリング情報に基づいて並列データストリームの望ましいＱｏＳを供給する。このステップに関連して、ＰＨＹ層によって許容される物理リソースのパラメータが決定される。例えば、ＨＡＲＱリソースの割り当てが、好ましく行われる。ステップ３２０において、高位層データは、データストリーム割り当てに従って、現在のＴＴＩ境界でアクティブ化している各データストリームの関連するＴＦに従うトランスポートブロック（ＴＢ）またはＴＢセットに多重化され（例えば、連結およびセグメント化され）、好ましくは共通の伝送時間間隔（ＴＴＩ）境界で開始する物理チャネルを通じて伝送するためにＰＨＹ層に供給される。さらに、これ以降、各ステップの概略的な説明を行う。
【００３９】
（バッファ分析）
データ転送レート、ブロックエラーレート、伝送電力オフセット、優先順位、および／または待ち時間の要件などの、無線ベアラデータ２０４１〜２０４ＭのＱｏＳ要件２０２１〜２０２Ｍは、ＴＦＣ選択装置２０８によって評価される。一般に、ＱｏＳ要件は、ＴＦＣ選択機能が現在のＴＴＩのデータ多重化ステップに許容されているデータ組合せを決定することができるように、高位層によって供給される。複数の論理チャネルまたは高位層データフローがデータ２０４１〜２０４Ｍ内にある場合、ＱｏＳはさらに、各論理チャネルのバッファ占有情報、各論理チャネルの優先順位または最高優先順位データフローの指示、各データフローのパケットサイズ、およびデータフローの許容される組合せを含むことができる。ＱｏＳ要件２０２１〜２０２Ｍに従って、ＴＦＣ選択装置２０８は、伝送優先順位によりソートされた、伝送のための使用可能なデータを持つデータチャネル２０４１〜２０４Ｍの許容されるデータ多重化組合せを決定することが好ましい。各々許容される多重化組合せに対する使用可能なデータの量、対応するＨＡＲＱ再伝送の数、電力オフセット、および／または各データ多重化組合せに関連するその他のＱｏＳ関連パラメータもまた、決定されることが好ましい。
【００４０】
（物理リソースパーティション化およびデータフロー割り当て）
チャネル品質測定および動的スケジューリング情報２０６１〜２０６Ｎと共に物理層によって供給される、使用可能な物理リソースは、高位層データのＱｏＳおよびパーティション化要件と、チャネル品質インジケータ（ＣＱＩ）レポート、動的スケジューリング情報、および使用可能なＨＡＲＱリソースを含む（ただし、これらに限定されることはない）物理（ＰＨＹ）層によって供給されるチャネルパラメータとに基づいてサブチャネルパーティションに区分されることが好ましい。使用可能なサブチャネルパーティションは、データストリームに属している多重化データ組合せを個別に伝送するためにそのデータストリームを割り当てられるように決定される。
【００４１】
好ましい実施形態によれば、ＣＱＩレポートは、物理層においてパイロットチャネルに基づいて測定された使用可能なサブチャネル（時間および周波数領域の副搬送波または符号領域のチャネル化コード）ごとに生成される。ダウンリンク（ＤＬ）通信において、すべての使用可能なサブチャネルが必ずしも各ＴＴＩのデータ伝送に使用されるわけではない。許容伝送パフォーマンスの望ましい上限を示すしきい値は、しきい値よりも高い対応するＣＱＩ値を持つサブチャネルのみが伝送に使用されるように定義される。したがって、適格なサブチャネルのみが、割り当てられたパーティションに含められるように、ＴＦＣ選択機能２１０１〜２１０Ｎによって選択される。これは、ノードＢにおいてＣＱＩベースのスケジューリングによって達成されることが好ましい。
【００４２】
ＵＬ通信の場合、ノードＢスケジューラは、使用可能なサブチャネル、アンテナビーム、最大許容アップリンク（ＵＬ）電力、および変調および符号化方式（ＭＣＳ）制限、および／または割り振られたサブチャネルの各々のチャネル品質インジケータ（ＣＱＩ）を含む（ただし、これらに限定されることはない）、割り振られた物理（ＰＨＹ）リソースに関する情報をユーザ機器（ＵＥ）に供給することができる。そのような情報は、ＵＬ伝送に使用可能な物理チャネルごとに供給されることが好ましい。ＰＨＹリソース割り振りは、その後のスケジューリング認可に対して、変化しても、あるいは不変のままであってもよい。これは、その後のスケジューリング認可の相対的な相異を識別することにより決定することができる。ＵＥは、しきい値に基づいて使用可能なサブチャネルのサブセットセットを選択的に選ぶために十分な物理リソースを供給されない場合もある。この場合、ＴＦＣ選択装置２０８は、ＣＱＩには関わりなくすべての使用可能なサブチャネルを使用することができることが好ましい。しきい値よりも大きいＣＱＩを提示するＵＬチャネルは、スケジューリング認可において識別することができる。しかし、複数のＴＴＩにわたり認可が有効である場合、個別に認可されたサブチャネルのＣＱＩは、時間の経過に伴って変化することがある。ＴＦＣ選択機能２７０１〜２１０Ｎは、以下で説明する伝送属性決定ステップに従って、特定の物理リソースパーティションに割り当てられた各サブチャネルまたはサブチャネルのセットの変調および符号化セット（ＭＣＳ）、ＴＢサイズ、伝送電力、および／またはＨＡＲＱ再伝送を調整することが好ましい。ＴＦＣ選択機能２１０１〜２１０Ｎは、物理リソースパーティションにマップされたデータフロー２０９１〜２０９ＮのＱｏＳ要件によりよく適応するＣＱＩレベルを提示する特定の物理リソースパーティションに割り当てられたサブチャネルまたはサブチャネルのセット間のデータを分離することが好ましい。
【００４３】
高位層２０４１〜２０４Ｍから生じた並列データストリームは、それぞれの使用可能な物理リソースパーティションに関連してＴＦＣ選択機能２１０１〜２１０Ｎに割り当てられる。データストリームの割り当ては、例えば優先順位など、高位層２０４１〜２０４Ｍの中の様々なチャネルの共通のＱｏＳ属性に従って生成されることが好ましい。ＴＦＣ選択機能２１０１〜２１０Ｎは、データフローの各セットおよび関連する物理リソースパーティションについて可能な限り、ＣＱＩレベルおよび動的スケジューリング情報をＱｏＳ要件と照合することによって、データストリームを使用可能な物理リソースパーティションに割り当てることが好ましい。
【００４４】
並列データストリームは、共通または異なるＱｏＳ要件を持つ１つまたは複数の無線ベアラから生じることがある。したがって、２つ以上のデータストリーム２０９１〜２０９Ｎは、適合するＱｏＳ要件を有することができる。一例として、Ｖｏｉｃｅ  ｏｖｅｒ  Ｉｎｔｅｒｎｅｔ  Ｐｒｏｔｏｃｏｌ（ＶｏＩＰ）および適合しないＱｏＳを必要とするインターネットブラウズデータは、異なるデータストリーム２０９１〜２０９Ｎまたはデータストリームのセットに割り当てることができ、別個の物理リソースパーティションにマップして異なる優先順位および遅延要件と一致させることができる。
【００４５】
（伝送属性の決定）
ＴＦＣ選択機能２１０１〜２１０Ｎは、並行して動作して、対応するデータストリーム２０９１〜２０９ＮのＱｏＳ要件を良好に満たすように、各物理リソースパーティションに適用されるべきＴＦおよび物理伝送属性を決定することが好ましい。この決定は、各サブチャネルパーティションのＣＱＩおよび動的スケジューリング情報と、対応するデータストリーム２０９１〜２０９ＮのＱｏＳ要件に基づくことが好ましい。物理属性は、各データフローのＱｏＳを満たすように調整されるか、または場合によっては特定のサブチャネルのＣＱＩに従って調整される変調および符号化レート、ＴＴＩあたりのサブフレーム数、伝送電力、およびＨＡＲＱ再伝送を含む。ＨＡＲＱプロセスは、以下でさらに詳細に説明するように、物理リソースパーティションに動的に割り当てられることが好ましい。
【００４６】
複数の物理リソースパーティションは、共通のＱｏＳ要件を持つデータストリームに関連付けることができる。この場合、ＣＱＩが個々の物理リソースパーティションごとに異なる場合、変調および符号化セット（ＭＣＳ）、ＴＢサイズ、ＴＴＩ長さ、伝送電力、およびＨＡＲＱパラメータを含むトランスポートフォーマットパラメータは、サブチャネルパーティションにわたりＱｏＳを正規化するように調整される。つまり、データストリーム２０９１〜２０９Ｎの任意のサブセットであってもよい対応するデータストリームにわたりＱｏＳを正規化するように、異なるパラメータを物理リソースごとに割り当てることができる。一部のＴＦ属性は、例えば、ＭＣＳおよび伝送電力が共に予想ブロックエラーレートに影響を与えるような場合など、同じＱｏＳ属性に影響を及ぼす場合には、相互に関して調整することができる。
【００４７】
符号化、変調、およびＴＴＩ長さが物理リソースパーティションに関連付けられてしまうと、トランスポートブロックＴＢ（または、同様に、ＴＢセット）が割り当てられる。特に、サブチャネルパーティションごとに各ＴＢに多重化されうるデータビットの数は、その他のＴＢパラメータに基づいて決定されることが好ましい。様々な物理リソースパーティションおよびＨＡＲＱプロセスに関連付けられている一意に定義されたサイズを持つ複数のＴＢがあってもよい。動的ＨＡＲＱリソースパーティション化が許容される場合は、サブチャネルセット伝送能力の合計が、使用可能なＨＡＲＱリソースの合計を超えないことがある。動的ＨＡＲＱリソースパーティション化が許容されない場合は、選択されたＴＦが、関連する各ＨＡＲＱプロセスの使用可能なリソースを超えないことがある。
【００４８】
ＴＢ２５０１〜２５０Ｎは、物理チャネルを介して伝送するために、関連するＴＦ属性２３０１〜２３０Ｎと共に、物理層に供給される。
【００４９】
（ＨＡＲＱ割り当て）
好ましい実施形態に従って、ＨＡＲＱリソースは、複数のＨＡＲＱプロセスが各ＴＴＩに先立って割り当てられるように、物理リソースパーティションとそれらの関連するＴＢ（または、同様に、ＴＢセット）にわたり動的に配分される。静的ＨＡＲＱプロセスリソースが適用される場合、物理リソースパーティションは物理リソースパーティションに関連付けられているＨＡＲＱリソースと一致するように制限されるので、これは、従来技術によって提案されている静的に構成されるＨＡＲＱプロセスリソースよりも好ましい。
【００５０】
合計ＨＡＲＱリソースが、各物理リソースパーティションに多重化されたデータ間で必要に応じて動的に分割されるので、ＨＡＲＱリソースの動的配分により、物理リソースのパーティション化中に柔軟性を大幅に向上させることができる。したがって、物理リソースのパーティション化は、関連するＨＡＲＱプロセスの静的リソースによって制限されることはない。加えて、１つの高位層無線ベアラのデータが、異なるチャネル品質を提示する複数の物理リソースパーティションにわたり配分される場合、望ましいＱｏＳに適応するために物理リソースパーティションに関連付けられている各ＴＢのサイズおよびＭＣＳを選択する際の柔軟性が大幅に向上する。
【００５１】
１つまたは複数のサブチャネルセットに関連付けられている各ＴＢは、使用可能なＨＡＲＱプロセスに割り当てられる。動的ＨＡＲＱリソースパーティション化が許容される場合、ＴＢサイズおよびＴＢに割り当てられるＭＣＳは、ソフトメモリ要件を決定するために使用されることが好ましく、次いでこの要件は受信機および送信機に対して必要なＨＡＲＱリソースを確認するために使用される。例えば、トランスポートフォーマットコンビネーションインジケータ（ＴＦＣＩ）またはトランスポートフォーマットおよびリソースインジケータ（ＴＦＲＩ）と、受信機における選択されたＭＣＳの知識は通常、受信機がＴＴＩベースでＨＡＲＱメモリリソースを動的に予約するのに十分である。同期動作において、再伝送が知られている。同期動作において、ＨＡＲＱプロセスＩＤは、再伝送を指示するために使用される。リソース要件は初期伝送から変化することはないので、再伝送が行われる場合、ＨＡＲＱリソースが再伝送に合わせて動的に調整されないことが好ましい。
【００５２】
ＨＡＲＱプロセス２４０１〜２４０Ｎは、各ＴＢおよびその関連する物理リソースパーティションに割り当てられる。ＭＣＳ、サブフレーム、ＴＴＩ、副搬送波またはチャネル化コード、アンテナ（ＭＩＭＯ）、アンテナ電力、および最大伝送数を含む（ただし、これらに限定されることはない）情報２３０１〜２３０Ｎは、伝送のためにＨＡＲＱプロセスに渡される。次いで、ＨＡＲＱプロセス２４０１〜２４０Ｎは、正常な送達確認を受信するか、またはその伝送最大数を超えると、その可用性を指示する。
【００５３】
（データ多重化）
データマルチプレクサ２２０は、データフロー割り当て情報２１４と、ＴＦＣ選択機能２１０１〜２２０Ｎによって供給されるＴＦ属性２１５１〜２１５Ｎに従って、高位層データ２０４を多重化する。各データフローのデータブロックは、先に決定された関連するＴＢサイズに多重化される。データフロー２０９１〜２０９Ｎが仕向けられる物理リソースパーティションの知識は、多重化には必要とされない。ＴＢサイズと、データフロー２０９１〜２０９Ｎへの論理チャネル２０４１〜２０４Ｎのマッピングのみが必要である。データストリーム２０９１〜２０９Ｎに割り当てられたＴＢへの論理チャネル２０４１〜２０４Ｎの多重化は、論理チャネル２０４１〜２０４Ｍの優先順位に従って行われることが好ましい。
【００５４】
使用可能なデータがＴＢサイズよりも少ない場合、または多重化ブロックサイズが正確に適合しない場合、ＴＢはそれに応じてパッドすることができる。しかし、ＴＦＣ選択プロセス２１０１〜２１０Ｎは、ほとんどの場合、パディングの必要をなくすことが好ましい。伝送のための使用可能なデータがＴＢサイズを超え、１つ以上のＴＢが関連するデータフローのセットに対して決定される場合、関連するデータフローからのブロックは、ＴＢ全体にわたり配分される。各ＴＢ内で、ＭＡＣヘッダ情報は、データフローがＴＢ内でどのように多重化されたかを指定する。この情報は、共通のＴＢ内で様々なフローからのデータがどのように多重化されたか、およびフローからのデータがどのようにＴＢにわたり配分されたかを一意に識別する。
【００５５】
（実施形態）
実施形態１。物理（ＰＨＹ）層、メディアアクセス制御（ＭＡＣ）層、および高位層を含む処理層の階層で構成される無線送受信ユニット（ＷＴＲＵ）のための通信データを処理する方法。
【００５６】
実施形態２。高位層からの伝送のためのデータおよび対応する伝送データ特性をＭＡＣ層により受信することをさらに備える実施形態１に記載の方法。
【００５７】
実施形態３。ＰＨＹ層から物理リソース情報をＭＡＣ層により受信することをさらに備える実施形態２に記載の方法。
【００５８】
実施形態４。高位層からの受信データ特性およびＰＨＹ層からの物理リソース情報に基づいて、並列データストリームへの伝送データの割り当てを定義することをさらに備える実施形態３に記載の方法。
【００５９】
実施形態５。高位層からの受信データ特性およびＰＨＹ層からの物理リソース情報に基づいて、各データストリームのトランスポートフォーマットパラメータを生成することをさらに備える実施形態４に記載の方法。
【００６０】
実施形態６。データストリーム割り当ておよびそれぞれのトランスポートフォーマットパラメータに従って、伝送データをトランスポートブロックの並列データストリームに多重化して、それぞれの物理リソースパーティションを通じて伝送するために前記並列データストリームの前記トランスポートブロックを介して伝送データを選択的にＰＨＹ層に供給することをさらに備える実施形態５に記載の方法。
【００６１】
実施形態７。伝送データは、事前定義された時間フレームフォーマット内の伝送時間間隔（ＴＴＩ）で伝送される実施形態６に記載の方法。
【００６２】
実施形態８。方法は、各伝送時間間隔（ＴＴＩ）に先立って伝送データに対して実行される実施形態７に記載の方法。
【００６３】
実施形態９。伝送データを並列データストリームに多重化することは、共通の伝送時間間隔（ＴＴＩ）境界で開始するそれぞれのデータストリームの多重化されたデータを伝送するためである実施形態８に記載の方法。
【００６４】
実施形態１０。伝送データ特性は、ＱｏＳ要件を含み、並列データストリームへの割り当てを定義することおよび各データストリームのトランスポートフォーマットパラメータを生成することは、ＱｏＳ要件に基づく実施形態５から９のいずれかに記載の方法。
【００６５】
実施形態１１。トランスポートフォーマットパラメータを生成することは、共通のＱｏＳ要件を持つ伝送データを含む２つ以上のデータストリームによって達成される予想ＱｏＳを正規化する実施形態１０に記載の方法。
【００６６】
実施形態１２。トランスポートフォーマットパラメータを生成することは、異なるＱｏＳ要件を持つ伝送データを含む２つ以上のデータストリームによって達成される予想ＱｏＳを区別する実施形態１０に記載の方法。
【００６７】
実施形態１３。伝送データは、複数の論理チャネルを含み、並列データストリームへの割り当てを定義することは、各論理チャネルのデータを並列データストリームの１つに選択的に配分する実施形態４から１２のいずれかに記載の方法。
【００６８】
実施形態１４。伝送データは、単一の論理チャネルを含み、並列データストリームへの割り当てを定義することは、単一の論理チャネルのデータを並列データストリームの間で選択的に配分する実施形態４から１２のいずれかに記載の方法。
【００６９】
実施形態１５。伝送データ特性は、複数の各論理チャネルのＱｏＳ要件を含み、物理リソース情報は、物理層からのチャネル品質インジケータ（ＣＱＩ）を含み、並列データストリームへの割り当てを定義することおよび各データストリームのトランスポートフォーマットパラメータを生成することは、ＱｏＳ要件およびＣＱＩに基づく実施形態４から１４のいずれかに記載の方法。
【００７０】
実施形態１６。並列データストリームへの割り当てを定義することは、ロングタームエボリューション（ＬＴＥ）システムの時間および周波数領域において複数のサブチャネルセットで伝送データを送信するために行われる実施形態４から１５のいずれかに記載の方法。
【００７１】
実施形態１７。並列データストリームへの割り当てを定義することは、高速パケットアクセスエボリューション（ＨＳＰＡ＋）システムの符号領域において複数のサブチャネルセットで伝送データを送信するために行われる実施形態４から１５のいずれかに記載の方法。
【００７２】
実施形態１８。並列データストリームへの割り当てを定義することは、様々な多入力多出力（ＭＩＭＯ）伝送ストリームの複数のサブチャネルセットで伝送データを送信するために行われる実施形態４から１７のいずれかに記載の方法。
【００７３】
実施形態１９。並列データストリームへの割り当てを定義することは、関連するチャネル品質特性を持つ複数のサブチャネルセットで伝送データを送信するために行われる実施形態４から１８のいずれかに記載の方法。
【００７４】
実施形態２０。ＰＨＹ層から物理リソース情報を受信することは、１つまたは複数のチャネル品質インジケータ（ＣＱＩ）によって供給されるチャネル品質特性を含む実施形態１９に記載の方法。
【００７５】
実施形態２１。高位層からの受信データ特性および／またはＰＨＹ層からの物理リソース情報に基づいて、各データストリームの物理伝送属性を生成することをさらに備える実施形態６から２０のいずれかに記載の方法。
【００７６】
実施形態２２。それぞれの物理リソースパーティション上の前記並列データストリームにおける伝送データの送信の制御に使用するため、生成された物理伝送属性をＰＨＹ層に伝達することをさらに備える実施形態２１に記載の方法。
【００７７】
実施形態２３。トランスポートフォーマットパラメータを生成することおよび物理伝送属性を生成することは、変調および符号化レート、トランスポートブロックサイズ、伝送時間間隔（ＴＴＩ）長さ、伝送電力、およびハイブリッド自動再送要求（ＨＡＲＱ）パラメータを生成することを含む実施形態２１から２２のいずれかに記載の方法。
【００７８】
実施形態２４。物理伝送属性を生成することは、各データストリームに関連づけられている生成されたトランスポートフォーマットパラメータおよび共通の伝送時間間隔（ＴＴＩ）の対応するトランスポートブロックに従ってデータストリームの各々のハイブリッド自動再送要求（ＨＡＲＱ）プロセス割り当てを生成することを含む実施形態２１から２３のいずれかに記載の方法。
【００７９】
実施形態２５。物理伝送属性を生成することは、変調および符号化レート、伝送時間間隔（ＴＴＩ）あたりのサブフレーム数、ＴＴＩの継続時間、伝送電力、およびハイブリッド自動再送要求（ＨＡＲＱ）パラメータの属性のうちの少なくとも１つを含む実施形態２１から２４のいずれかに記載の方法。
【００８０】
実施形態２６。物理伝送属性を生成することは、高位層および／またはＰＨＹ層から受信した合計ＨＡＲＱリソースの情報に基づいて、ハイブリッド自動再送要求（ＨＡＲＱ）パラメータを生成することを含む実施形態２１から２５のいずれかに記載の方法。
【００８１】
実施形態２７。伝送データ特性は、複数の各論理チャネルのＱｏＳ要件を含み、物理リソース情報は、物理層からのチャネル品質インジケータ（ＣＱＩ）を含み、並列データストリームへの割り当てを定義することは、ＱｏＳ要件およびＣＱＩに基づく実施形態２１から２６のいずれかに記載の方法。
【００８２】
実施形態２８。各データストリームのトランスポートフォーマットパラメータを生成することは、ＱｏＳ要件およびＣＱＩに基づく実施形態２７に記載の方法。
【００８３】
実施形態２９。物理伝送属性を生成することは、ＱｏＳ要件およびＣＱＩに基づく実施形態２８に記載の方法。
【００８４】
実施形態３０。使用可能なリソースをパーティション化することおよび物理伝送属性を生成することに基づいて物理（ＰＨＹ）層により伝送データを送信することをさらに備える実施形態２１から２９のいずれかに記載の方法。
【００８５】
実施形態３１。物理（ＰＨＹ）層は、伝送データを送信するために使用可能なリソースをロングタームエボリューション（ＬＴＥ）システムの時間および周波数領域において複数のサブチャネルセットにパーティション化する実施形態３０に記載の方法。
【００８６】
実施形態３２。物理（ＰＨＹ）層は、伝送データを送信するために使用可能なリソースを高速パケットアクセスエボリューション（ＨＳＰＡ＋）システムの符号領域において複数のサブチャネルセットにパーティション化する実施形態３０に記載の方法。
【００８７】
実施形態３３。物理（ＰＨＹ）層は、伝送データを送信するために使用可能なリソースを様々な多入力多出力（ＭＩＭＯ）伝送ストリームの複数のサブチャネルセットにパーティション化する実施形態３０から３２のいずれかに記載の方法。
【００８８】
実施形態３４。物理（ＰＨＹ）層、メディアアクセス制御（ＭＡＣ）層、および高位層を含む処理層の階層で構成される無線送受信ユニット（ＷＴＲＵ）。
【００８９】
実施形態３５。伝送のためのデータと、高位層からの対応する伝送データ特性とを受信するように構成されたＭＡＣ層コンポーネントをさらに備える実施形態３４に記載のＷＴＲＵ。
【００９０】
実施形態３６。ＭＡＣ層コンポーネントは、ＰＨＹ層から物理リソース情報を受信するように構成される実施形態３５に記載のＷＴＲＵ。
【００９１】
実施形態３７。ＭＡＣ層コンポーネントは、高位層からの受信データ特性およびＰＨＹ層からの物理リソース情報に基づいて、並列データストリームへの伝送データの割り当てを定義するように構成されたトランスポートフォーマット選択装置を含む実施形態３６に記載のＷＴＲＵ。
【００９２】
実施形態３８。トランスポートフォーマット選択装置は、高位層からの受信データ特性およびＰＨＹ層からの物理リソース情報に基づいて、各データストリームのトランスポートフォーマットパラメータを生成するように構成される実施形態３７に記載のＷＴＲＵ。
【００９３】
実施形態３９。ＭＡＣ層コンポーネントは、データストリーム割り当ておよびトランスポートフォーマット選択装置によって生成されたそれぞれのトランスポートフォーマットパラメータに従って、伝送データをトランスポートブロックの並列データストリームに多重化し、それぞれの物理リソースパーティションを通じて伝送するために選択的に多重化された伝送データをＰＨＹ層に出力するように構成されたマルチプレクサコンポーネントを含む実施形態３８に記載のＷＴＲＵ。
【００９４】
実施形態４０。ユーザ機器（ＵＥ）として構成された実施形態３４から３９のいずれかに記載のＷＴＲＵ。
【００９５】
実施形態４１。基地局として構成された実施形態３４から３９のいずれかに記載のＷＴＲＵ。
【００９６】
実施形態４２。伝送データは、事前定義された時間フレームフォーマット内の伝送時間間隔（ＴＴＩ）で伝送され、ＭＡＣ層コンポーネントは、その中で伝送するために各伝送時間間隔（ＴＴＩ）に先立って伝送データを処理するように構成される実施形態３９から４１のいずれかに記載のＷＴＲＵ。
【００９７】
実施形態４３。伝送データは、事前定義された時間フレームフォーマット内の伝送時間間隔（ＴＴＩ）で伝送され、ＭＡＣ層コンポーネントは、共通の伝送時間間隔（ＴＴＩ）境界で開始するそれぞれのデータストリームの多重化されたデータを伝送するために伝送データを並列データストリームに多重化するように構成される実施形態４２に記載のＷＴＲＵ。
【００９８】
実施形態４４。伝送データ特性は、ＱｏＳ要件を含み、トランスポートフォーマット選択装置は、伝送データの並列データストリームへの割り当てを定義して、ＱｏＳ要件に基づいて各データストリームのトランスポートフォーマットパラメータを生成するように構成される実施形態３９から４３のいずれかに記載のＷＴＲＵ
【００９９】
実施形態４５。トランスポートフォーマット選択装置は、共通のＱｏＳ要件を持つ伝送データを含む２つ以上のデータストリームによって達成される予想ＱｏＳを正規化するトランスポートフォーマットパラメータを生成するように構成される実施形態４４に記載のＷＴＲＵ。
【０１００】
実施形態４６。トランスポートフォーマット選択装置は、異なるＱｏＳ要件を持つ伝送データを含む２つ以上のデータストリームによって達成される予想ＱｏＳを区別するトランスポートフォーマットパラメータを生成するように構成される実施形態４５に記載のＷＴＲＵ。
【０１０１】
実施形態４７。伝送データは、複数の論理チャネルを含み、トランスポートフォーマット選択装置は、各論理チャネルのデータを並列データストリームの１つに選択的に配分する伝送データの並列データストリームへの割り当てを定義するように構成される実施形態３９から４６のいずれかに記載のＷＴＲＵ。
【０１０２】
実施形態４８。伝送データは、単一の論理チャネルを含み、トランスポートフォーマット選択装置は、単一の論理チャネルのデータを並列データストリームの間で選択的に配分する伝送データの並列データストリームへの割り当てを定義するように構成される実施形態３９から４６のいずれかに記載のＷＴＲＵ。
【０１０３】
実施形態４９。伝送データ特性は、複数の各論理チャネルのＱｏＳ要件を含み、物理リソース情報は、物理層からのチャネル品質インジケータ（ＣＱＩ）を含み、トランスポートフォーマット選択装置は、伝送データの並列データストリームへの割り当てを定義して、ＱｏＳ要件およびＣＱＩに基づいて各データストリームのトランスポートフォーマットパラメータを生成するように構成される実施形態３９から４８のいずれかに記載のＷＴＲＵ。
【０１０４】
実施形態５０。トランスポートフォーマット選択装置は、ロングタームエボリューション（ＬＴＥ）システムの時間および周波数領域において複数のサブチャネルセットで送信するために伝送データの並列データストリームへの割り当てを定義するように構成される実施形態３９から４９のいずれかに記載のＷＴＲＵ。
【０１０５】
実施形態５１。トランスポートフォーマット選択装置は、高速パケットアクセスエボリューション（ＨＳＰＡ＋）システムの符号領域において複数のサブチャネルセットで送信するために伝送データの並列データストリームへの割り当てを定義するように構成される実施形態３９から４９のいずれかに記載のＷＴＲＵ。
【０１０６】
実施形態５２。トランスポートフォーマット選択装置は、様々な多入力多出力（ＭＩＭＯ）伝送ストリームの複数のサブチャネルセットで送信するために伝送データの並列データストリームへの割り当てを定義するように構成される実施形態３９から５１のいずれかに記載のＷＴＲＵ。
【０１０７】
実施形態５３。トランスポートフォーマット選択装置は、関連するチャネル品質特性を持つ複数のサブチャネルセットで送信するために伝送データの並列データストリームへの割り当てを定義するように構成される実施形態３９から５２のいずれかに記載のＷＴＲＵ。
【０１０８】
実施形態５４。ＰＨＹ層からの物理リソース情報は、１つまたは複数のチャネル品質インジケータ（ＣＱＩ）によって供給されるチャネル品質特性を含む実施形態５３に記載のＷＴＲＵ。
【０１０９】
実施形態５５。トランスポートフォーマット選択装置は、高位層からの受信データ特性および／またはＰＨＹ層からの物理リソース情報に基づいて各データストリームの物理伝送属性を生成して、それぞれの物理リソースパーティション上の前記並列データストリームにおける伝送データの送信の制御に使用するため、生成された物理伝送属性をＰＨＹ層に出力するように構成される実施形態３９から５４のいずれかに記載のＷＴＲＵ。
【０１１０】
実施形態５６。トランスポートフォーマット選択装置は、変調および符号化レート、トランスポートブロックサイズ、伝送時間間隔（ＴＴＩ）長さ、伝送電力、およびハイブリッド自動再送要求（ＨＡＲＱ）パラメータを含むトランスポートフォーマットパラメータおよび物理伝送属性を生成するように構成される実施形態５５に記載のＷＴＲＵ。
【０１１１】
実施形態５７。トランスポートフォーマット選択装置は、各データストリームに関連付けられている生成されたトランスポートフォーマットパラメータに従って各データストリームのハイブリッド自動再送要求（ＨＡＲＱ）プロセス割り当てを含む物理伝送属性を生成するように構成される実施形態５５から５６のいずれかに記載のＷＴＲＵ。
【０１１２】
実施形態５８。トランスポートフォーマット選択装置は、変調および符号化レート、伝送時間間隔（ＴＴＩ）あたりのサブフレーム数、ＴＴＩの継続時間、伝送電力、およびハイブリッド自動再送要求（ＨＡＲＱ）パラメータの属性うちの少なくとも１つを含む物理伝送属性を生成するように構成される実施形態５５から５７のいずれかに記載のＷＴＲＵ。
【０１１３】
実施形態５９。トランスポートフォーマット選択装置は、高位層および／またはＰＨＹ層から受信した合計ＨＡＲＱリソースの情報に基づいて、ハイブリッド自動再送要求（ＨＡＲＱ）パラメータを含む物理伝送属性を生成するように構成される実施形態５５から５８のいずれかに記載のＷＴＲＵ。
【０１１４】
実施形態６０。伝送データ特性は、複数の各論理チャネルのＱｏＳ要件を含み、物理リソース情報は、物理層からのチャネル品質インジケータ（ＣＱＩ）を含む実施形態５５から５９のいずれかに記載のＷＴＲＵ。
【０１１５】
実施形態６１。トランスポートフォーマット選択装置は、ＱｏＳ要件およびＣＱＩに基づいて伝送データの並列データストリームへの割り当てを定義するように構成される実施形態６０に記載のＷＴＲＵ。
【０１１６】
実施形態６２。トランスポートフォーマット選択装置は、ＱｏＳ要件およびＣＱＩに基づいて各データストリームのトランスポートフォーマットパラメータを生成するように構成される実施形態６１に記載のＷＴＲＵ。
【０１１７】
実施形態６３。トランスポートフォーマット選択装置は、ＱｏＳ要件およびＣＱＩに基づいて物理伝送属性を生成するように構成される実施形態６２に記載のＷＴＲＵ。
【０１１８】
実施形態６４。使用可能なリソースをパーティション化して、トランスポートフォーマット選択装置によって出力された物理伝送属性に基づいて多重化された伝送データを送信するように構成された物理（ＰＨＹ）層コンポーネントをさらに備える実施形態５５から６３のいずれかに記載のＷＴＲＵ。
【０１１９】
実施形態６５。物理（ＰＨＹ）層コンポーネントは、伝送データを送信するために使用可能なリソースをロングタームエボリューション（ＬＴＥ）システムの時間および周波数領域において複数のサブチャネルセットにパーティション化するように構成される実施形態６４に記載のＷＴＲＵ。
【０１２０】
実施形態６６。物理（ＰＨＹ）層コンポーネントは、伝送データを送信するために使用可能なリソースを高速パケットアクセスエボリューション（ＨＳＰＡ＋）システムの符号領域において複数のサブチャネルセットにパーティション化するように構成される実施形態６４に記載のＷＴＲＵ。
【０１２１】
実施形態６７。物理（ＰＨＹ）層コンポーネントは、伝送データを送信するために使用可能なリソースを様々な多入力多出力（ＭＩＭＯ）伝送ストリームの複数のサブチャネルセットにパーティション化するように構成される実施形態６４から６６のいずれかに記載のＷＴＲＵ。
【０１２２】
本発明の特徴は、集積回路（ＩＣ）に組み入れるか、または多数の相互接続コンポーネントからなる回路に構成することができる。
【０１２３】
本発明の特徴および要素は特定の組合せで好ましい実施形態において説明されるが、各々の特徴または要素は、好ましい実施形態の他の特徴および要素を使用せずに単独で使用するか、または本発明のその他の特徴および要素との様々な組合せ、あるいはそれらを使用せずに使用することができる。本発明において提供される方法または流れ図は、汎用コンピュータまたはプロセッサによって実行されるためにコンピュータ可読記憶媒体で明白に具現されるコンピュータプログラム、ソフトウェア、またはファームウェアにおいて実施することができる。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、磁気光学媒体、ＣＤ−ＲＯＭディスクなどの光媒体、およびデジタル多用途ディスク（ＤＶＤ）を含む。
【０１２４】
適切なプロセッサは、例として、汎用および特殊用途プロセッサ、標準的なプロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特殊用途向け集積回路（ＡＳＩＣ）、フィールドプログラマブルゲートアレイ（ＦＰＧＡ）回路、任意の集積回路、および／またはステートマシンを含む。
【０１２５】
ソフトウェアと関連するプロセッサは、無線送受信ユニット（ＷＴＲＵ）、ユーザ機器、端末、基地局、無線ネットワークコントローラ、または任意のホストコンピュータにおいて使用する無線周波数送受信機を実施するために使用することができる。ＷＴＲＵは、カメラ、ビデオカメラモジュール、テレビ電話、スピーカーフォン、振動装置、スピーカー、マイクロフォン、テレビ送受信機、ハンドフリーヘッドセット、キーボード、ブルートゥースモジュール、周波数変調（ＦＭ）無線装置、液晶ディスプレイ（ＬＣＤ）表示装置、有機発光ダイオード（ＯＬＥＤ：ｏｒｇａｎｉｃ  ｌｉｇｈｔ−ｅｍｉｔｔｉｎｇ  ｄｉｏｄｅ）表示装置、デジタル音楽プレイヤー、メディアプレイヤー、テレビゲームプレイヤーモジュール、インターネットブラウザ、および／または任意の無線ローカルエリアネットワーク（ＷＬＡＮ）モジュールなどのハードウェアおよび／またはソフトウェアにおいて実施するモジュールと共に使用することができる。
【図面の簡単な説明】
【０１２６】
【図１】標準的なＵＭＴＳネットワークのシステムアーキテクチャの概要を示す図である。
【図２】本発明による、提案されるＬＴＥおよびＨＳＰＡ＋システムの物理層の特徴をサポートするためのメディアアクセス（ＭＡＣ）層内の各ＴＴＩの並列トランスポートフォーマットコンビネーション（ＴＦＣ）選択機能の適用を示す図である。
【図３】本発明による、複数のＴＦＣ選択機能を適用して、チャネル品質測定およびサービス品質要件に基づいて使用可能な物理リソースにデータを割り当てる各ＴＴＩのＭＡＣ手順を示す流れ図である。
【図１】
2009525696.tif 000003
【図２】
2009525696.tif 000004
【図３】
2009525696.tif 000005
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
物理（ＰＨＹ）層、メディアアクセス制御（ＭＡＣ）層、および高位層を含む処理層の階層で構成される無線送受信ユニット（ＷＴＲＵ）のための通信データを処理する方法であって、
高位層からの伝送のデータおよび対応する伝送データ特性と、
前記ＰＨＹ層からの物理リソース情報と
を前記ＭＡＣ層により受信することと、
前記高位層からの前記受信データ特性および前記ＰＨＹ層からの前記物理リソース情報に基づいて、前記伝送データおよび動的に生成された物理リソースパーティションの並列データストリームへの割り当てを定義することと、
前記高位層からの前記受信データ特性および前記ＰＨＹ層からの前記物理リソース情報に基づいて、各データストリームのトランスポートフォーマットパラメータを生成することと、
前記データストリーム割り当ておよび前記それぞれのトランスポートフォーマットパラメータに従って、前記伝送データをトランスポートブロックの前記並列データストリームに多重化して、前記それぞれの割り当てられた物理リソースパーティション上での伝送のために前記並列データストリームの前記トランスポートブロックを介して前記伝送データを選択的に前記ＰＨＹ層に提供することと
を備えることを特徴とする方法。
【請求項２】
伝送データは、事前定義された時間フレームフォーマット内の伝送時間間隔（ＴＴＩ）で伝送され、前記方法は、各伝送時間間隔（ＴＴＩ）に先立って伝送データに対して実行されることを特徴とする請求項１に記載の方法。
【請求項３】
伝送データは、事前定義された時間フレームフォーマット内の伝送時間間隔（ＴＴＩ）で伝送され、前記伝送データを前記並列データストリームに多重化することは、共通の伝送時間間隔（ＴＴＩ）境界で開始するそれぞれのデータストリームの前記多重化されたデータの伝送のためであることを特徴とする前記請求項のいずれかに記載の方法。
【請求項４】
前記伝送データ特性は、ＱｏＳ要件を含み、並列データストリームへの割り当てを定義することおよび各データストリームのトランスポートフォーマットパラメータを生成することは、前記ＱｏＳ要件に基づくことを特徴とする前記請求項のいずれかに記載の方法。
【請求項５】
トランスポートフォーマットパラメータを生成することは、共通のＱｏＳ要件を持つ伝送データを収容する２つ以上のデータストリームによって達成される予想ＱｏＳを正規化することを特徴とする請求項４に記載の方法。
【請求項６】
トランスポートフォーマットパラメータを生成することは、異なるＱｏＳ要件を持つ伝送データを収容する２つ以上のデータストリームによって達成される予想ＱｏＳを区別することを特徴とする請求項４に記載の方法。
【請求項７】
前記伝送データは、複数の論理チャネルを含み、並列データストリームへの割り当てを定義することは、各論理チャネルのデータを前記並列データストリームの１つに選択的に配分することを特徴とする前記請求項のいずれかに記載の方法。
【請求項８】
前記伝送データは、単一の論理チャネルを含み、並列データストリームへの割り当てを定義することは、前記単一の論理チャネルのデータを前記並列データストリームの間で選択的に配分することを特徴とする請求項１から６のいずれかに記載の方法。
【請求項９】
前記伝送データ特性は、複数の論理チャネルの各々のＱｏＳ要件を含み、前記物理リソース情報は、前記物理層からのチャネル品質インジケータ（ＣＱＩ）を含み、並列データストリームへの割り当てを定義することおよび各データストリームのトランスポートフォーマットパラメータを生成することは、前記ＱｏＳ要件およびＣＱＩに基づくことを特徴とする前記請求項のいずれかに記載の方法。
【請求項１０】
並列データストリームへの割り当てを定義することは、ロングタームエボリューション（ＬＴＥ）システムの時間および周波数領域において複数のサブチャネルセットで前記伝送データを送信するために行われることを特徴とする前記請求項のいずれかに記載の方法。
【請求項１１】
並列データストリームへの割り当てを定義することは、高速パケットアクセスエボリューション（ＨＳＰＡ＋）システムの符号領域において複数のサブチャネルセットで伝送データを送信するために行われることを特徴とする請求項１から９のいずれかに記載の方法。
【請求項１２】
並列データストリームへの割り当てを定義することは、異なる多入力多出力（ＭＩＭＯ）伝送ストリームの複数のサブチャネルセットで前記伝送データを送信するために行われることを特徴とする前記請求項のいずれかに記載の方法。
【請求項１３】
並列データストリームへの割り当てを定義することは、関連するチャネル品質特性を持つ複数のサブチャネルセットで前記伝送データを送信するために行われ、前記ＰＨＹ層から物理リソース情報を受信することは、１つまたは複数のチャネル品質インジケータ（ＣＱＩ）によって提供されるチャネル品質特性を含むことを特徴とする前記請求項のいずれかに記載の方法。
【請求項１４】
前記高位層からの前記受信データ特性および／または前記ＰＨＹ層からの前記物理リソース情報に基づいて、各データストリームの物理伝送属性を生成することと、
前記それぞれの物理リソースパーティション上の前記並列データストリームにおける前記伝送データの前記送信での制御の使用ために前記生成された物理伝送属性を前記ＰＨＹ層に通信することと
をさらに備えることを特徴とする前記請求項のいずれかに記載の方法。
【請求項１５】
トランスポートフォーマットパラメータを生成することおよび物理伝送属性を生成することは、変調および符号化レート、トランスポートブロックサイズ、伝送時間間隔（ＴＴＩ）長さ、伝送電力、およびハイブリッド自動再送要求（ＨＡＲＱ）パラメータを生成することを含むことを特徴とする請求項１４に記載の方法。
【請求項１６】
物理伝送属性を生成することは、各データストリームに関連づけられた前記生成されたトランスポートフォーマットパラメータおよび共通の伝送時間間隔（ＴＴＩ）における対応するトランスポートブロックに従って前記データストリームの各々のハイブリッド自動再送要求（ＨＡＲＱ）プロセス割り当てを生成することを備えることを特徴とする請求項１４および１５のいずれかに記載の方法。
【請求項１７】
物理伝送属性を生成することは、変調および符号化レート、伝送時間間隔（ＴＴＩ）あたりのサブフレーム数、ＴＴＩの継続時間、伝送電力、およびハイブリッド自動再送要求（ＨＡＲＱ）パラメータの属性うちの少なくとも１つを含むことを特徴とする請求項１４から１６のいずれかに記載の方法。
【請求項１８】
物理伝送属性を生成することは、前記高位層および／または前記ＰＨＹ層から受信した総ＨＡＲＱリソースの情報に基づいて、ハイブリッド自動再送要求（ＨＡＲＱ）パラメータを生成することを含むことを特徴とする請求項１４から１７のいずれかに記載の方法。
【請求項１９】
前記伝送データ特性は、複数の論理チャネルの各々のＱｏＳ要件を含み、前記物理リソース情報は、前記物理層からのチャネル品質インジケータ（ＣＱＩ）を含み、並列データストリームへの割り当てを定義すること、各データストリームのトランスポートフォーマットパラメータを生成することおよび物理伝送属性を生成することは、前記ＱｏＳ要件および前記ＣＱＩに基づくことを特徴とする請求項１４から１８のいずれかに記載の方法。
【請求項２０】
使用可能なリソースをパーティション化することと、物理伝送属性の前記生成に基づいて前記物理（ＰＨＹ）層により前記伝送データを送信することとをさらに備えることを特徴とする請求項１４から１９のいずれかに記載の方法。
【請求項２１】
前記物理（ＰＨＹ）層は、前記伝送データを送信するためにロングタームエボリューション（ＬＴＥ）システムの時間および周波数領域において複数のサブチャネルセットに使用可能なリソースをパーティション化することを特徴とする請求項２０に記載の方法。
【請求項２２】
前記物理（ＰＨＹ）層は、前記伝送データを送信するために高速パケットアクセスエボリューション（ＨＳＰＡ＋）システムの符号領域において複数のサブチャネルセットに使用可能なリソースをパーティション化することを特徴とする請求項２０に記載の方法。
【請求項２３】
前記物理（ＰＨＹ）層は、前記伝送データを送信するために異なる多入力多出力（ＭＩＭＯ）伝送ストリームの複数のサブチャネルセットに使用可能なリソースをパーティション化することを特徴とする請求項２０から２２のいずれかに記載の方法。
【請求項２４】
物理（ＰＨＹ）層、メディアアクセス制御（ＭＡＣ）層、および高位層を含む処理層の階層で構成される無線送受信ユニット（ＷＴＲＵ）であって、メディアアクセス制御（ＭＡＣ）層および高位層は、
高位層からの伝送のデータおよび対応する伝送データ特性と、
前記ＰＨＹ層からの物理リソース情報と
を受信するように構成されたＭＡＣ層コンポーネントを備え、
前記ＭＡＣ層コンポーネントは、前記高位層からの前記受信データ特性および前記ＰＨＹ層からの前記物理リソース情報に基づいて、前記伝送データおよび動的に生成された物理リソースパーティションの並列データストリームへの割り当てを定義するように構成されたトランスポートフォーマット選択装置を含み、
前記トランスポートフォーマット選択装置は、前記高位層からの前記受信データ特性および前記ＰＨＹ層からの前記物理リソース情報に基づいて、各データストリームのトランスポートフォーマットパラメータを生成するように構成され、
前記ＭＡＣ層コンポーネントは、前記トランスポートフォーマット選択装置によって生成された前記データストリーム割り当ておよび前記それぞれのトランスポートフォーマットパラメータに従って、前記伝送データをトランスポートブロックの前記並列データストリームに多重化し、前記それぞれの割り当てられた物理リソースパーティション上での伝送のために前記選択的に多重化された伝送データを前記ＰＨＹ層に出力するように構成されたマルチプレクサコンポーネントを含むことを特徴とする無線送受信ユニット。
【請求項２５】
ユーザ機器（ＵＥ）として構成されることを特徴とする請求項２４に記載のＷＴＲＵ。
【請求項２６】
基地局として構成されることを特徴とする請求項２４に記載のＷＴＲＵ。
【請求項２７】
伝送データは、事前定義された時間フレームフォーマット内の伝送時間間隔（ＴＴＩ）で伝送され、前記ＭＡＣ層コンポーネントは、伝送のための各伝送時間間隔（ＴＴＩ）に先立って伝送データを処理するように構成されることを特徴とする請求項２４から２６のいずれかに記載のＷＴＲＵ。
【請求項２８】
伝送データは、事前定義された時間フレームフォーマット内の伝送時間間隔（ＴＴＩ）で伝送され、前記ＭＡＣ層コンポーネントは、共通の伝送時間間隔（ＴＴＩ）境界で開始するそれぞれのデータストリームの前記多重化されたデータの伝送のために前記伝送データを並列データストリームに多重化するように構成されることを特徴とする請求項２４から２７のいずれかに記載のＷＴＲＵ。
【請求項２９】
前記伝送データ特性は、ＱｏＳ要件を含み、前記トランスポートフォーマット選択装置は、伝送データの並列データストリームへの割り当てを定義し、前記ＱｏＳ要件に基づいて各データストリームのトランスポートフォーマットパラメータを生成するように構成されることを特徴とする請求項２４から２８のいずれかに記載のＷＴＲＵ。
【請求項３０】
前記トランスポートフォーマット選択装置は、共通のＱｏＳ要件を持つ伝送データを収容する２つ以上のデータストリームによって達成される予想ＱｏＳを正規化するトランスポートフォーマットパラメータを生成するように構成されることを特徴とする請求項２９に記載のＷＴＲＵ。
【請求項３１】
前記トランスポートフォーマット選択装置は、異なるＱｏＳ要件を持つ伝送データを収容する２つ以上のデータストリームによって達成される予想ＱｏＳを区別するトランスポートフォーマットパラメータを生成するように構成されることを特徴とする請求項２９に記載のＷＴＲＵ。
【請求項３２】
前記伝送データは、複数の論理チャネルを含み、前記トランスポートフォーマット選択装置は、各論理チャネルのデータを並列データストリームの１つに選択的に配分する伝送データの前記並列データストリームへの割り当てを定義するように構成されることを特徴とする請求項２４から３１のいずれかに記載のＷＴＲＵ。
【請求項３３】
前記伝送データは、単一の論理チャネルを含み、前記トランスポートフォーマット選択装置は、前記単一の論理チャネルのデータを並列データストリームの間で選択的に配分する伝送データの前記並列データストリームへの割り当てを定義するように構成されることを特徴とする請求項２４から３１のいずれかに記載のＷＴＲＵ。
【請求項３４】
前記伝送データ特性は、複数の論理チャネルの各々のＱｏＳ要件を含み、前記物理リソース情報は、前記物理層からのチャネル品質インジケータ（ＣＱＩ）を含み、前記トランスポートフォーマット選択装置は、伝送データの並列データストリームへの割り当てを定義し、前記ＱｏＳ要件およびＣＱＩに基づいて各データストリームのトランスポートフォーマットパラメータを生成するように構成されることを特徴とする請求項２４から３３のいずれかに記載のＷＴＲＵ。
【請求項３５】
トランスポートフォーマット選択装置は、ロングタームエボリューション（ＬＴＥ）システムの時間および周波数領域において複数のサブチャネルセットでの送信のために伝送データの並列データストリームへの割り当てを定義するように構成されることを特徴とする請求項２４から３４のいずれかに記載のＷＴＲＵ。
【請求項３６】
前記トランスポートフォーマット選択装置は、高速パケットアクセスエボリューション（ＨＳＰＡ＋）システムの符号領域において複数のサブチャネルセットでの送信のために伝送データの並列データストリームへの割り当てを定義するように構成されることを特徴とする請求項２４から３４のいずれかに記載のＷＴＲＵ。
【請求項３７】
前記トランスポートフォーマット選択装置は、異なる多入力多出力（ＭＩＭＯ）伝送ストリームの複数のサブチャネルセットでの送信のために伝送データの並列データストリームへの割り当てを定義するように構成されることを特徴とする請求項２４から３６のいずれかに記載のＷＴＲＵ。
【請求項３８】
前記トランスポートフォーマット選択装置は、関連するチャネル品質特性を持つ複数のサブチャネルセットでの送信のために伝送データの並列データストリームへの割り当てを定義するように構成され、前記ＰＨＹ層からの前記物理リソース情報は、１つまたは複数のチャネル品質インジケータ（ＣＱＩ）によって提供されるチャネル品質特性を含むことを特徴とする請求項２４から３７のいずれかに記載の方法。
【請求項３９】
前記トランスポートフォーマット選択装置は、前記高位層からの前記受信データ特性および／または前記ＰＨＹ層からの前記物理リソース情報に基づいて各データストリームの物理伝送属性を生成し、前記それぞれの物理リソースパーティション上の前記並列データストリームにおける伝送データの送信の制御における使用のために前記生成された物理伝送属性を前記ＰＨＹ層に出力するように構成されることを特徴とする請求項２４から３８のいずれかに記載のＷＴＲＵ。
【請求項４０】
前記トランスポートフォーマット選択装置は、変調および符号化レート、トランスポートブロックサイズ、伝送時間間隔（ＴＴＩ）長さ、伝送電力、およびハイブリッド自動再送要求（ＨＡＲＱ）パラメータを含むトランスポートフォーマットパラメータおよび物理伝送属性を生成するように構成されることを特徴とする請求項３９に記載のＷＴＲＵ。
【請求項４１】
前記トランスポートフォーマット選択装置は、各データストリームに関連付けられた生成されたトランスポートフォーマットパラメータに従って前記各データストリームの各々のハイブリッド自動再送要求（ＨＡＲＱ）プロセス割り当てを含む物理伝送属性を生成するように構成されることを特徴とする請求項３９および４０のいずれかに記載のＷＴＲＵ。
【請求項４２】
前記トランスポートフォーマット選択装置は、変調および符号化レート、伝送時間間隔（ＴＴＩ）あたりのサブフレーム数、ＴＴＩの継続時間、伝送電力、およびハイブリッド自動再送要求（ＨＡＲＱ）パラメータの属性うちの少なくとも１つを含む物理伝送属性を生成するように構成されることを特徴とする請求項３９から４１のいずれかに記載のＷＴＲＵ。
【請求項４３】
前記トランスポートフォーマット選択装置は、前記高位層および／または前記ＰＨＹ層から受信した総ＨＡＲＱリソースの情報に基づいて、ハイブリッド自動再送要求（ＨＡＲＱ）パラメータを含む物理伝送属性を生成するように構成されることを特徴とする請求項３９から４２のいずれかに記載のＷＴＲＵ。
【請求項４４】
前記伝送データ特性は、複数の論理チャネルの各々のＱｏＳ要件を含み、前記物理リソース情報は、前記物理層からのチャネル品質インジケータ（ＣＱＩ）を含み、前記トランスポートフォーマット選択装置は、伝送データの並列データストリームへの割り当てを定義し、各データストリームのトランスポートフォーマットパラメータを生成し、前記ＱｏＳ要件およびＣＱＩに基づいて物理伝送属性を生成するように構成されることを特徴とする請求項３９から４３のいずれかに記載のＷＴＲＵ。
【請求項４５】
使用可能なリソースをパーティション化し、前記トランスポートフォーマット選択装置によって出力された物理伝送属性に基づいて前記多重化された伝送データを送信するように構成された物理（ＰＨＹ）層コンポーネントをさらに備えることを特徴とする請求項３９から４４のいずれかに記載のＷＴＲＵ。
【請求項４６】
前記物理（ＰＨＹ）層コンポーネントは、前記伝送データを送信するためにロングタームエボリューション（ＬＴＥ）システムの時間および周波数領域において複数のサブチャネルセットに使用可能なリソースをパーティション化するように構成されることを特徴とする請求項４５に記載のＷＴＲＵ。
【請求項４７】
前記物理（ＰＨＹ）層コンポーネントは、前記伝送データを送信するために高速パケットアクセスエボリューション（ＨＳＰＡ＋）システムの符号領域において複数のサブチャネルセットに使用可能なリソースをパーティション化するように構成されることを特徴とする請求項４５に記載のＷＴＲＵ。
【請求項４８】
前記物理（ＰＨＹ）層コンポーネントは、前記伝送データを送信するために異なる多入力多出力（ＭＩＭＯ）伝送ストリームの複数のサブチャネルセットに使用可能なリソースをパーティション化するように構成されることを特徴とする請求項４５から４７のいずれかに記載のＷＴＲＵ。
【国際調査報告】
2009525696.tif 000006
2009525696.tif 000007
2009525696.tif 000008
2009525696.tif 000009
2009525696.tif 000010